(57)【要約】【課題】口紅およびリップグロスを含む、ワックス状、油性、及び／又は脂肪性汚れの洗浄方法が開示される。【解決手段】器物洗浄および洗濯用途における口紅およびリップグロス染みの除去方法が、長鎖ポリアミン、すなわち１〜５個の窒素を有するＣ６〜Ｃ２０ポリアミンを含む洗浄組成物の適用を通じて開示される。いくつかの態様では、アルカリ性洗浄組成物は、水酸化ナトリウム洗剤、およびＮ１−（３−アミノプロピル）−Ｎ３−ドデシルプロパン−１，３，ジアミン）及び／又はＮ１，Ｎ１，Ｎ３−トリス（３−アミノプロピル）−Ｎ３−ドデシルプロパン−１，３−ジアミンなどのＣ６〜Ｃ２０ポリアミンを含む。【選択図】図１Ａ
2021502433.tif 000002
【特許請求の範囲】
【請求項１】
洗浄組成物であって、前記洗浄組成物は：
任意のアルカリ源であって、前記アルカリ源が含まれている場合、アルカリ金属水酸化物、アルカリ金属炭酸塩、アルカリ金属ケイ酸塩、及び／又は有機窒素塩基である、任意のアルカリ源と、
洗浄及び／又は消泡界面活性剤、溶媒、ポリマー／キレート剤、及び／又は酵素のうちの少なくとも１種と、
Ｃ６〜Ｃ２０長鎖ポリアミンと、を含む、組成物。
【請求項２】
前記アルカリ源が、アルカリ金属水酸化物である、請求項１に記載の組成物。
【請求項３】
前記長鎖ポリアミンが、芳香族官能基を有さない非分岐鎖構造を有するＣ６〜Ｃ２０ポリアミンである、請求項１又は２に記載の組成物。
【請求項４】
前記長鎖ポリアミンが、Ｃ６〜Ｃ１８ポリアミンである、請求項１〜３のいずれか一項に記載の組成物。
【請求項５】
前記長鎖ポリアミンが、Ｎ１，Ｎ１，Ｎ３−トリス（３−アミノプロピル）−Ｎ３−ドデシルプロパン−１，３−ジアミンである、請求項１〜４のいずれか一項に記載の組成物。
【請求項６】
前記長鎖ポリアミンが、Ｎ１−（３−アミノプロピル）−Ｎ３−ドデシルプロパン−１，３，ジアミン）である、請求項１〜５のいずれか一項に記載の組成物。
【請求項７】
前記組成物が、ヒドロトロープ、染料、粘度調整剤、キレート剤、充填剤、及び／又は溶媒を含む少なくとも１つの追加の機能性成分をさらに含む、請求項１〜６のいずれか一項に記載の組成物。
【請求項８】
前記組成物が、アルコキシル化非イオン性界面活性剤、ポリオキシプロピレン−ポリオキシエチレンポリマー化合物、及び／又は反転ポリオキシプロピレン−ポリオキシエチレンポリマー化合物をさらに含む、請求項１〜７のいずれか一項に記載の組成物。
【請求項９】
洗浄組成物であって、
任意のアルカリ金属水酸化物、
Ｃ６〜Ｃ２０長鎖ポリアミン、
消泡界面活性剤、および
水、を含む、組成物。
【請求項１０】
前記組成物が、前記アルカリ金属水酸化物水酸化ナトリウムを含み、前記アルカリ金属水酸化物水酸化ナトリウムが、前記組成物の約１重量％〜約９９重量％を構成し、前記Ｃ６〜Ｃ２０ポリアミンが、前記組成物の約０．０００５重量％〜約５０重量％を構成する、請求項９に記載の組成物。
【請求項１１】
前記組成物が、界面活性剤、ヒドロトロープ、染料、粘度調整剤、キレート剤、ポリマー、酵素、充填剤、及び／又は溶媒を含む少なくとも１種の追加の機能性成分をさらに含む、請求項９又は１０に記載の組成物。
【請求項１２】
前記組成物が、アルコキシル化非イオン性界面活性剤、ポリオキシプロピレン−ポリオキシエチレンポリマー化合物、及び／又は反転ポリオキシプロピレン−ポリオキシエチレンポリマー化合物をさらに含む、請求項９〜１１のいずれか一項に記載の組成物。
【請求項１３】
ワックス状、油性、及び／又は脂肪性汚れの除去方法であって、
器物を請求項１〜１２のいずれか一項に記載の洗浄組成物と接触させることであって、
前記器物が、ワックス状、油性、及び／又は脂肪性汚れを含む、接触させることと、
前記器物を洗浄することと、を含む、方法。
【請求項１４】
前記汚れが、口唇化粧料汚れである、請求項１３に記載の方法。
【請求項１５】
前記口唇化粧料汚れが、口紅、リップステイン、リップグロス、リップバーム、またはリップクリームのうちの少なくとも１種を含む、請求項１４に記載の方法。
【請求項１６】
前記器物が、ガラス、セラミックス、及び／又はプラスチックである、請求項１３〜１５のいずれか一項に記載の方法。
【請求項１７】
前記器物が、手洗いされる、器物洗浄機で洗浄される、または前記洗浄組成物を入れた容器に浸漬される、請求項１３〜１６のいずれか一項に記載の方法。
【請求項１８】
前記長鎖トリアミンが、使用溶液中の前記組成物に添加される、請求項１３〜１７のいずれか一項に記載の方法。
【請求項１９】
前記長鎖トリアミンが、使用溶液中に約１０ｐｐｍ〜約２００ｐｐｍ、または使用溶液中に約１００ｐｐｍ〜約２００ｐｐｍの濃度で提供される、請求項１３〜１８のいずれか一項に記載の方法。
【請求項２０】
使用溶液中の前記洗浄組成物が、約７．５〜約１３．５のｐＨを有する、請求項１３〜１９のいずれか一項に記載の方法。
【発明の詳細な説明】
【技術分野】
【０００１】
関連出願の相互参照
本出願は、米国特許法第１１９条下で、その全体が参照により本明細書に組み込まれる、２０１７年１１月７日に出願された仮特許出願第６２／５８２，６５２号に対する優先権を主張する。
【０００２】
本発明は、口紅およびリップグロスなどの口唇化粧料汚れを含む、ワックス状、油性、及び／又は脂肪性汚れの洗浄方法に関する。具体的には、器物洗浄、前処理、硬質表面洗浄での、口紅およびリップグロス染みを含む口唇化粧料汚れの除去は、長鎖ポリアミン、すなわち、アルカリ源の有無にかかわらず１〜５個の窒素を有するＣ６〜Ｃ２０ポリアミンを含む固体及び／又は液体洗浄組成物の使用を通じて開示される。好ましいアルカリ性洗浄組成物は、Ｎ１−（３−アミノプロピル）−Ｎ３−ドデシルプロパン−１，３，ジアミン及び／又はＮ１，Ｎ１，Ｎ３−トリス（３−アミノプロピル）−Ｎ３−ドデシルプロパン−１，３−ジアミンを含む水酸化ナトリウム洗剤を含む。
【背景技術】
【０００３】
レストランおよびバーでの飲用器物を含む様々な器物は、多くの場合、顧客がクラスから飲むと顧客の口唇から飲用器物にこすりつける口唇化粧料汚れで飲用器物の上部で汚れる。口唇化粧料汚れは、典型的には、口唇化粧料のワックス状、油性、及び／又は脂肪性の稠性のために、除去するのが非常に困難である。近年、新規な「長持ちする」口紅などの口唇化粧料業界での進歩の結果として、口唇化粧料汚れの除去がさらにより困難になっている。
【０００４】
これまで、飲用器物は、使用される特定の方法に応じて、様々な洗浄プロセスを経てきた。前処理または浸漬は、飲用器物を通常の洗浄サイクルにかける前に、口唇化粧料汚れを除去するため、または最後に汚れを緩めるために用いられてきた。多くの場合、これらの前処理は、汚れと接触させるために器物を裏返す必要がある。追加のプロセスは、例えば、器物を再洗浄すること、器物を手動で洗浄または磨くこと、及び／又はそのような汚れを除去するために器物洗浄サイクルに追加の時間を加えることを含む。
【０００５】
アルカリ金属炭酸塩、アルカリ金属メタケイ酸塩、アルカリ金属ケイ酸塩、及び／又はアルカリ金属水酸化物を用いる器物洗浄配合物は、特にリン含有化合物と共に使用される場合に効果的な洗浄力を提供することが知られている。しかしながら、洗剤中のリン原材料の使用は、環境上の理由を含む様々な理由で望ましくないものになっている。これは、リン系化学物質の厳しい規制をもたらした。したがって、業界は、器物を洗浄し、高アルカリ性洗剤に関連する硬水スケールの形成を制御する代替方法を模索している。多くの市販の洗剤配合物は、硬水スケールを制御し、洗浄力を提供するための費用対効果の高い構成要素としてトリポリリン酸ナトリウムを用いている。しかしながら、配合物は、０．５重量％未満のリンを含有するように適合されているので、交換用洗浄構成要素を特定する必要性が存在する。多くの非ホスフェート交換配合物は、硬質表面に激しい汚れの蓄積をもたらす。
【発明の概要】
【発明が解決しようとする課題】
【０００６】
したがって、口唇化粧料汚れを含む、ワックス状、油性、及び／又は脂肪性汚れの効果的な除去のための改善された固体及び／又は液体洗浄組成物を開発することが目的である。
【０００７】
さらなる目的は、改善された器物洗浄、前処理、および硬質表面洗浄組成物を提供することである。
【０００８】
さらなる目的は、飲用器物上の口唇化粧料汚れを浸漬するための前処理工程の使用を必要としない洗浄組成物を提供することである。
【０００９】
さらなる目的は、そのような洗浄組成物の効果的な使用方法を提供することである。
【００１０】
本発明の他の目的、利点、および特徴は、添付の図面と併せて以下の明細書から明らかになるであろう。
【課題を解決するための手段】
【００１１】
組成物および方法の有益性は、実質的にリンを含まない配合物であり、さらに口唇化粧料汚れに対して効果的な洗浄力を提供することである。固体及び／又は液体の洗浄組成物は、長鎖ポリアミン、すなわち１〜５個の窒素を有するＣ６〜Ｃ２０ポリアミンを含む。洗浄組成物は、アルカリ源を含み得るか、または除外し得る。好ましいアルカリ性洗浄組成物は、Ｎ１−（３−アミノプロピル）−Ｎ３−ドデシルプロパン−１，３，ジアミン及び／又はＮ１，Ｎ１，Ｎ３−トリス（３−アミノプロピル）−Ｎ３−ドデシルプロパン−１，３−ジアミンを含む水酸化ナトリウム洗剤を含む。有益なことに、組成物は、器物洗浄、前処理、および硬質表面洗浄用途に好適である。
【００１２】
一実施形態では、洗浄組成物は、任意のアルカリ源であって、アルカリ源が含まれている場合、アルカリ金属水酸化物、アルカリ金属炭酸塩、アルカリ金属ケイ酸塩、及び／又は有機窒素塩基である、任意のアルカリ源と、洗浄及び／又は消泡界面活性剤、溶媒、ポリマー／キレート剤、及び／又は酵素のうちの少なくとも１種と、Ｃ６〜Ｃ２０長鎖ポリアミンと、を含む。
【００１３】
一実施形態では、洗浄組成物は、任意のアルカリ金属水酸化物、Ｃ６〜Ｃ２０長鎖ポリアミン、消泡界面活性剤、および水を含む。
【００１４】
一実施形態では、ワックス状、油性、及び／又は脂肪性汚れの除去方法は、ワックス状、油性、及び／又は脂肪性汚れを有する器物を準備することと、本明細書に記載されるように、器物を洗浄組成物と接触させることと、器物を洗浄することと、を含む。
【００１５】
複数の実施形態が開示されているが、本発明の例示的な実施形態を示し説明する以下の発明を実施するための形態から、本発明のさらに他の実施形態が当業者には明らかになるであろう。したがって、図面および発明を実施するための形態は、本質的に例示的であり限定的ではないとみなされるべきである。
【図面の簡単な説明】
【００１６】
本特許または出願書類は、少なくとも１つのカラー印刷された図面を含む。カラー図面を含む本特許または特許出願公開の複製は、要求に応じて、必要な手数料を支払うことにより、特許庁によって提供されるであろう。
【００１７】
【図１Ａ】配合物Ａで処理した後のスライドガラスの実施例１の画像であり、口紅顔料またはワックスの除去は観察されなかった。
【図１Ｂ】配合物Ａで処理した後のスライドガラスの実施例１の画像であり、口紅顔料またはワックスの除去は観察されなかった。
【図１Ｃ】配合物Ａで処理した後のスライドガラスの実施例１の画像であり、口紅顔料またはワックスの除去は観察されなかった。
【図２Ａ】配合物Ｄで処理した後のスライドガラスの実施例１の画像であり、口紅顔料またはワックスの除去は観察されなかった。
【図２Ｂ】配合物Ｄで処理した後のスライドガラスの実施例１の画像であり、口紅顔料またはワックスの除去は観察されなかった。
【図２Ｃ】配合物Ｄで処理した後のスライドガラスの実施例１の画像であり、口紅顔料またはワックスの除去は観察されなかった。
【図３Ａ】配合物Ｅで処理した後のスライドガラスの実施例１の画像であり、口紅顔料またはワックスの除去は観察されなかった。
【図３Ｂ】配合物Ｅで処理した後のスライドガラスの実施例１の画像であり、口紅顔料またはワックスの除去は観察されなかった。
【図３Ｃ】配合物Ｅで処理した後のスライドガラスの実施例１の画像であり、口紅顔料またはワックスの除去は観察されなかった。
【図４Ａ】配合物Ｂで処理した後のスライドガラスの実施例１の画像であり、完全な顔料の除去および部分的なワックス除去がＣｏｖｅｒｇｉｒｌ試料で観察され、ＭＡＣ  Ｃ４６試料は、顔料およびワックスの両方で部分的な除去のみを示した。
【図４Ｂ】配合物Ｂで処理した後のスライドガラスの実施例１の画像であり、完全な顔料の除去および部分的なワックス除去がＣｏｖｅｒｇｉｒｌ試料で観察され、ＭＡＣ  Ｃ４６試料は、顔料およびワックスの両方で部分的な除去のみを示した。
【図４Ｃ】配合物Ｂで処理した後のスライドガラスの実施例１の画像であり、完全な顔料の除去および部分的なワックス除去がＣｏｖｅｒｇｉｒｌ試料で観察され、ＭＡＣ  Ｃ４６試料は、顔料およびワックスの両方で部分的な除去のみを示した。
【図５Ａ】配合物Ｃで処理した後のスライドガラスの実施例１の画像であり、Ｃｏｖｅｒｇｉｒｌ４３５は、スライドの主要部分で完全な顔料の除去、および部分的なワックスの除去を示し、一方で、Ｃｏｖｅｒｇｉｒｌ３０５およびＭＡＣ  Ｃ４６は、部分的な顔料の除去および最小限のワックスの除去を有することが観察された。
【図５Ｂ】配合物Ｃで処理した後のスライドガラスの実施例１の画像であり、Ｃｏｖｅｒｇｉｒｌ４３５は、スライドの主要部分で完全な顔料の除去、および部分的なワックスの除去を示し、一方で、Ｃｏｖｅｒｇｉｒｌ３０５およびＭＡＣ  Ｃ４６は、部分的な顔料の除去および最小限のワックスの除去を有することが観察された。
【図５Ｃ】配合物Ｃで処理した後のスライドガラスの実施例１の画像であり、Ｃｏｖｅｒｇｉｒｌ４３５は、スライドの主要部分で完全な顔料の除去、および部分的なワックスの除去を示し、一方で、Ｃｏｖｅｒｇｉｒｌ３０５およびＭＡＣ  Ｃ４６は、部分的な顔料の除去および最小限のワックスの除去を有することが観察された。
【図６Ａ】実施例２とは異なる化学物質で残った口紅のパーセントのグラフである。
【図６Ｂ】実施例２とは異なる化学物質で残った口紅のパーセントのグラフである。
【図６Ｃ】実施例２とは異なる化学物質で残った口紅のパーセントのグラフである。
【図７Ａ】実施例３で食器かごの後方隅にあるグラスから除去された口紅のパーセントのグラフである。
【図７Ｂ】実施例３で食器かごの後方隅にあるグラスから除去された口紅のパーセントのグラフである。
【図７Ｃ】実施例３で食器かごの後方隅にあるグラスから除去された口紅のパーセントのグラフである。
【図８Ａ】実施例３で食器かごの前方隅にあるグラスから除去された口紅のパーセントのグラフである。
【図８Ｂ】実施例３で食器かごの前方隅にあるグラスから除去された口紅のパーセントのグラフである。
【図８Ｃ】実施例３で食器かごの前方隅にあるグラスから除去された口紅のパーセントのグラフである。
【図９Ａ】実施例３で食器かごの中央位置にあるグラスから除去された口紅のパーセントのグラフである。
【図９Ｂ】実施例３で食器かごの中央位置にあるグラスから除去された口紅のパーセントのグラフである。
【図９Ｃ】実施例３で食器かごの中央位置にあるグラスから除去された口紅のパーセントのグラフである。
【図１０Ａ】実施例３で食器かごの中央後方位置にあるグラスから除去された口紅のパーセントのグラフである。
【図１０Ｂ】実施例３で食器かごの中央後方位置にあるグラスから除去された口紅のパーセントのグラフである。
【図１０Ｃ】実施例３で食器かごの中央後方位置にあるグラスから除去された口紅のパーセントのグラフである。
【図１１Ａ】実施例３で食器かごの中央前方位置にあるグラスから除去された口紅のパーセントのグラフである。
【図１１Ｂ】実施例３で食器かごの中央前方位置にあるグラスから除去された口紅のパーセントのグラフである。
【図１１Ｃ】実施例３で食器かごの中央前方位置にあるグラスから除去された口紅のパーセントのグラフである。
【図１２Ａ】実施例４で口紅タイルから除去された口紅のパーセントのグラフである。
【図１２Ｂ】実施例４で口紅タイルから除去された口紅のパーセントのグラフである。
【図１２Ｃ】実施例４で口紅タイルから除去された口紅のパーセントのグラフである。
【００１８】
本発明の様々な実施形態について、図面を参照して詳細に説明するが、いくつかの図を通して同様の参照番号は同様の部分を表す。様々な実施形態への言及は、本発明の範囲を限定するものではない。本明細書で表される図は、本発明による様々な実施形態に限定するものではなく、本発明の例示的な説明のために提示される。
【発明を実施するための形態】
【００１９】
口紅やリップグロスなどの口唇化粧料汚れを含む、ワックス状、油性、及び／又は脂肪性汚れの洗浄方法が提供され、その方法は、そのような汚れを除去するための従来の洗浄組成物よりも多くの有益性を有する。具体的には、器物洗浄用途での口紅およびリップグロス染みを含む口唇化粧料汚れの除去は、長鎖ポリアミン、すなわち、１〜５個の窒素を有するＣ６〜Ｃ２０ポリアミンを含む洗浄組成物の使用を通じて有益に達成される。
【００２０】
実施形態は、洗浄組成物を用いる特定の方法に限定されず、これらは変更可能であり、当業者によって理解される。さらに、本明細書で使用される全ての専門用語は、特定の実施形態を説明することのみを目的としており、いかなる様式または範囲においても限定することを意図するものではないことを理解されたい。例えば、本明細書および添付の特許請求の範囲で使用されているように、単数形「ａ」、「ａｎ」、および「ｔｈｅ」は、その内容が別途明確に示さない限り、複数の指示対象を含み得る。さらに、全ての単位、接頭辞、および記号は、そのＳＩ許容形式で表すことができる。
【００２１】
本明細書内に列挙された数値範囲は、定義された範囲内の数を含む。本開示を通して、本発明の様々な態様が範囲形式で提示されている。範囲形式での説明は単に便宜上および簡潔にするためのものであり、本発明の範囲に対する柔軟性のない制限として解釈されるべきではないことを理解されたい。したがって、範囲の説明は、全ての可能な部分範囲と共に、その範囲内の個々の数値（例えば、１〜５は、１、１．５、２、２．７５、３、３．８０、４、および５を含む）を具体的に開示しているとみなすべきである。
【００２２】
本発明がより容易に理解されるように、特定の用語が最初に定義される。別に定義されない限り、本明細書で使用される全ての技術用語および科学用語は、本発明の実施形態が関係する当業者によって一般に理解されるのと同じ意味を有する。本明細書に記載のものと類似、修正、または同等の多くの方法および材料を、過度の実験なしに本発明の実施形態の実施に使用することができ、好ましい材料および方法を本明細書に記載する。本発明の実施形態を説明および請求する際に、以下に記載される定義に従って、以下の用語が使用される。
【００２３】
本明細書で使用される「約」という用語は、例えば、現実の世界で濃縮物または使用溶液を作製するために使用される典型的な測定および液体取扱い手順により、これらの手順における不注意な誤りにより、組成物の作製または方法の実施に使用される成分の製造、供給源、または純度の違いにより起こり得る数量の変動を指す。「約」という用語はまた、特定の初期混合物から生じる組成物についての異なる平衡条件に起因して異なる量も包含する。「約」という用語によって修飾されているか否かにかかわらず、特許請求の範囲は、その量と同等のものを含む。
【００２４】
「活性物質」または「パーセント活性物質」または「重量パーセント活性物質」または「活性物質濃度」という用語は、本明細書において互換的に使用され、例えば水または塩などの不活性成分を引いたパーセンテージとして表される洗浄に関与する成分の濃度を指す。
【００２５】
本明細書において使用する場合、「アルキル」または「アルキル基」という用語は、１個以上の炭素原子を有する飽和炭化水素を指し、直鎖アルキル基（例えば、メチル、エチル、プロピル、ブチル、ペンチル、ヘキシル、ヘプチル、オクチル、ノニル、デシル等）、環式アルキル基（または「シクロアルキル」もしくは「脂環式」もしくは「炭素環式」基）（例えば、シクロプロピル、シクロペンチル、シクロヘキシル、シクロヘプチル、シクロオクチル等）、分岐鎖アルキル基（例えば、イソプロピル、ｔｅｒｔ−ブチル、ｓｅｃ−ブチル、イソブチル等）、ならびにアルキル置換アルキル基（例えば、アルキル置換シクロアルキル基およびシクロアルキル置換アルキル基）を含む。
【００２６】
別段に特定されない限り、「アルキル」という用語は、「非置換アルキル」および「置換アルキル」の両方を含む。本明細書で使用される場合、「置換アルキル」という用語は、炭化水素骨格の１つ以上の炭素の１つ以上の水素を置換する置換基を有するアルキル基を指す。そのような置換基としては、例えば、アルケニル、アルキニル、ハロゲノ、ヒドロキシル、アルキルカルボニルオキシ、アリールカルボニルオキシ、アルコキシカルボニルオキシ、アリールオキシ、アリールオキシカルボニルオキシ、カルボキシレート、アルキルカルボニル、アリールカルボニル、アルコキシカルボニル、アミノカルボニル、アルキルアミノカルボニル、ジアルキルアミノカルボニル、アルキルチオカルボニル、アルコキシル、ホスフェート、ホスホネート、ホスフィネート、シアノ、アミノ（アルキルアミノ、ジアルキルアミノ、アリールアミノ、ジアリールアミノ、およびアルキルアリールアミノを含む）、アシルアミノ（アルキルカルボニルアミノ、アリールカルボニルアミノ、カルバモイル、およびウレイドを含む）、イミノ、スルフヒドリル、アルキルチオ、アリールチオ、チオカルボキシレート、スルフェート、アルキルスルフィニル、スルホネート、スルファモイル、スルホンアミド、ニトロ、トリフルオロメチル、シアノ、アジド、複素環式、アルキルアリール、または芳香族（複素芳香族を含む）基を挙げることができる。
【００２７】
いくつかの実施形態では、置換アルキルは、複素環式基を含むことができる。本明細書で使用されるとき、「複素環式基」という用語は、環中の１個以上の炭素原子が炭素以外の元素、例えば、窒素、硫黄、または酸素である炭素環式基に類似の閉環構造を含む。複素環式基は、飽和でも不飽和でもよい。例示的な複素環式基としては、アジリジン、エチレンオキシド（エポキシド、オキシラン）、チイラン（エピスルフィド）、ジオキシラン、アゼチジン、オキセタン、チエタン、ジオキセタン、ジチエタン、ジチエート、アゾリジン、ピロリジン、ピロリン、オキソラン、ジヒドロフラン、およびフランが挙げられるが、これらに限定されない。
【００２８】
「再堆積防止剤」は、洗浄されている物体上に再堆積する代わりに水中に懸濁されたままであることを助ける化合物を指す。再付着防止剤は、清浄化されている表面上への除去された汚れの再付着の低減を補助するために、本発明において有用である。
【００２９】
本明細書で使用される場合、「洗浄」という用語は、汚れ除去、漂白、微生物集団の減少、すすぎ、およびこれらの任意の組み合わせにおいて促進するか、または助けるために使用される方法を指す。本明細書で使用される場合、「微生物（ｍｉｃｒｏｏｒｇａｎｉｓｍ）」という用語は、任意の非細胞または単細胞（群体を含む）生物を指す。微生物は、全ての原核生物を含む。微生物は、細菌（シアノバクテリアを含む）、胞子、地衣類、菌類、原生動物、ビリノス（ｖｉｒｉｎｏｓ）、ウイロイド、ウイルス、ファージ、およびいくつかの藻類を含む。本明細書で使用される場合、「微生物（ｍｉｃｒｏｂｅ）」という用語は、微生物（ｍｉｃｒｏｏｒｇａｎｉｓｍ）と同義である。
【００３０】
「商業的に許容可能な洗浄性能」という用語は、一般に、典型的な基材の典型的な汚れ状態に対処するために洗浄製品または洗浄システムを使用する場合に典型的な消費者が達成または消費すると期待し得る洗浄度、労力、またはその両方を指す。この清浄度の程度は、特定の洗浄製品と特定の基材に応じて、目に見える汚れが一般的にないこと、またはいくらかより低い程度の清浄度に相当し得る。清浄度は、使用されている特定の洗浄製品（例えば、器物洗剤）、および洗浄される特定の硬質または軟質表面（例えば、器物など）に応じて様々な方法で評価され得、通常は、一般に合意された業界標準試験またはこのような試験のローカライズされた変形を使用して決定され得る。そのような合意された業界標準試験がない場合、製造業者または販売業者がすでに採用している試験を使用して、そのブランドに関連して販売されているリン含有洗浄製品の洗浄性能が評価されてもよい。
【００３１】
「飲用器物」という用語は、ガラス、陶磁器、セラミックス、プラスチック、磁器、Ｃｏｒｅｌｌｅｗａｒｅ、メルマック、石器、銅、アルミニウム、アクリル、ステンレス鋼、クロム、水晶、メラミンなどを含む、飲用容器を作製するために使用される様々な材料を含む。「飲用器物」という用語は、任意の飲用容器を指し、例えば、ハイボールグラス、ローボールグラス、ワイングラス、マグカップ、ティーカップ、パイントグラス、ショットグラス、マティーニグラス、スニフター、ピルスナーグラス、シャンパンフルート、コップなどが挙げられる。
【００３２】
「改善された洗浄性能」という用語は、一般的に、典型的な基材上の典型的な汚れ条件に対処するために、ブランドのリン含有洗浄製品ではなく、代用洗浄製品または代用洗浄システムを使用する場合、概ねより高度な清浄度の、または概ね労力が削減される、またはその両方の、代用洗浄製品または代用洗浄システムによる達成を指す。この程度の洗浄度は、特定の洗浄生成物および特定の基質によって、目に見える汚れの一般的な欠如、またはいくらか低い程度の洗浄度に相当し得る。
【００３３】
材料のリストを参照して使用される場合の「含む」および「含むこと」という用語は、そのように列挙されている材料を指すが、それに限定されるものではない。
【００３４】
本明細書において使用する場合、用語「無リン」または「実質的に無リン」は、リンもしくはリン含有化合物を含有しないか、またはリンもしくはリン含有化合物が添加されていない組成物、混合物、または成分を指す。リンまたはリン含有化合物が、無リン組成物、混合物、または成分の汚染によって存在する場合、リンの量は、０．５重量％未満とする。より好ましくは、リンの量は、０．１重量％未満であり、最も好ましくは、リンの量は、０．０１重量％未満である。
【００３５】
本明細書において使用する場合、用語「ポリマー」は、一般に、これらに限定されないが、ホモポリマー、コポリマー、例えばブロック、グラフト、ランダムおよび交互コポリマー等、ターポリマー、ならびにより高次の「ｘ」量体を含み、それらの誘導体、組み合わせおよびブレンドをさらに含む。さらに、別段に具体的に限定されない限り、用語「ポリマー」は、これらに限定されないが、アイソタクチック、シンジオタクチックおよびランダム対称、ならびにそれらの組み合わせを含む、分子の全ての可能な異性体構成を含むものとする。さらに、別段に具体的に限定されない限り、用語「ポリマー」は、分子の全ての可能な幾何学構成を含むものとする。
【００３６】
本明細書で使用される場合、「汚れ（ｓｏｉｌ）」という用語は、炭水化物、タンパク質、脂肪、油などを含むがそれらに限定されない極性または非極性の有機または無機の物質を指す。これらの物質は、それらの有機状態で存在するか、または金属と錯体化して無機錯体を形成し得る。汚れは、本明細書に記載される、より特定の口唇化粧料汚れも指す。
【００３７】
「固体」という用語は、予期される保管条件下で一般的に形状安定な形態、例えば、粉末、粒子、凝集物、フレーク、顆粒、ペレット、錠剤、菱形、パック、ブリケット、レンガ、またはブロックの組成物を指し、単位用量または測定された単位用量が抜き取られ得る部分の組成物を指す。固体は、様々な程度の形状安定性を有し得るが、典型的には、認識できるほど流動せず、適度な応力、圧力、または単なる重力下で、例えば、成形された固体が金型から取り外される場合、押し出された固体が押出機から出る場合などで、その形状を実質的に保持する。固体は、様々な程度の表面硬度を有し得、例えば、表面が比較的高密度で硬く、コンクリートに類似している、溶融固体ブロックのものから、硬化したコーキング材料に類似している、可鍛性でスポンジのようなものとして特徴付けられる稠性までの範囲であり得る。
【００３８】
本明細書で使用される場合、「実質的に含まない」という用語は、完全に構成要素を欠くか、またはそのような少量の構成要素を有する組成物であって、この構成要素が、組成物の性能に影響を与えない、組成物を指す。構成成分は、不純物としてまたは汚染物質として存在してもよく、０．５重量％未満でなければならない。別の実施形態では、構成要素の量は０．１重量％未満であり、さらに別の実施形態では、構成要素の量は０．０１重量％未満である。
【００３９】
「実質的に同様の洗浄性能」という用語は、概して洗浄力の同じ度合（または少なくとも顕著に劣る度合いではない）、または概して同じ労力の消費（または少なくとも顕著に劣る消費ではない）を用いる代用洗浄製品または代用洗浄系により概して達成されることを指す。
【００４０】
本明細書で使用される場合、「器物」という用語は、食事用および調理用器具、食器、グラス、ならびに他の硬質表面などの品目を指す。本明細書で使用されるとき、「器物洗浄」という用語は、食器の洗浄、クリーニング、またはすすぎを指す。「器物」という用語は、一般に、食事用および調理用器具、食器、グラス、ならびに他の硬質表面などの品目を指す。器物はまた、ガラス、セラミックス、陶磁器、水晶、金属、メラミンプラスチック、またはこれらに限定されるものではないが、粘土、竹、麻などの天然物質を含む、様々な基材から作製された品目も指す。本発明による組成物で清浄化され得るプラスチックの種類としては、これらに限定されるものではないが、ポリプロピレン（ＰＰ）、高密度ポリエチレン（ＨＤＰＥ）、低密度ポリエチレン（ＬＤＰＥ）、ポリ塩化ビニル（ＰＶＣ）、スチレンアクリロニトリル（ＳＡＮ）、ポリカーボネート（ＰＣ）、メラミンホルムアルデヒド樹脂またはメラミン樹脂（メラミン）、アクリロニトリル−ブタジエン−スチレン（ＡＢＳ）、およびポリスルホン（ＰＳ）を含むものが挙げられる。本発明の化合物および組成物を使用して浄化され得る他の例示的なプラスチックには、ポリエチレンテレフタレート（ＰＥＴ）ポリスチレンポリアミドが含まれる。
【００４１】
「重量パーセント（ｗｅｉｇｈｔ  ｐｅｒｃｅｎｔ）」、「重量％（ｗｔ−％）」、「重量パーセント（ｐｅｒｃｅｎｔ  ｂｙ  ｗｅｉｇｈｔ）」、「重量％（％  ｂｙ  ｗｅｉｇｈｔ）」という用語、およびそれらの変形は、本明細書で使用される場合、その物質の重量を組成物の総重量で除し、１００を乗じた物質の濃度を指す。本明細書で使用されるとき、「パーセント」、「％」などは、「重量パーセント」、「重量％」などと同義であることが意図されていることが理解される。
【００４２】
本発明の方法および組成物は、本発明に記載の構成要素および成分、ならびに本明細書に記載の他の成分を含む（ｃｏｍｐｒｉｓｅ）か、これらから本質的になる（ｃｏｎｓｉｓｔ  ｅｓｓｅｎｔｉａｌｌｙ  ｏｆ）か、またはこれらからなって（ｃｏｎｓｉｓｔ  ｏｆ）いてもよい。本明細書で使用される場合、「から本質的になる（ｃｏｎｓｉｓｔｉｎｇ  ｅｓｓｅｎｔｉａｌｌｙ  ｏｆ）」は、方法および組成物が、追加の工程、構成要素、または成分が、特許請求の範囲に記載の方法および組成物の基本的かつ新規な特徴を著しく変更しない場合にのみ、その追加の工程、構成要素、または成分を含んでもよいことを意味する。
【００４３】
洗浄組成物
実施形態
洗剤組成物の例示的な範囲が、様々な使用用途向けの濃縮物およびすぐに使用できる組成物の両方を含む、固体及び／又は液体洗剤組成物の重量パーセンテージで表１Ａ〜１Ｅに示される。
【表１】
2021502433.tif 000003
【表２】
2021502433.tif 000004
【表３】
2021502433.tif 000005
【表４】
2021502433.tif 000006
【表５】
2021502433.tif 000007
【００４４】
洗浄組成物は、濃縮固体及び／又は液体組成物を含み得るか、または使用組成物を形成するために希釈され得るか、ならびにすぐに使用できる組成物であり得る。概して、濃縮物は、水で希釈されて、対象物に接触して所望の洗浄、すすぎなどを提供する使用溶液を提供することが意図される組成物を指す。洗浄される物品または器物に接触する洗浄組成物は、方法で用いられる配合物次第で濃縮物または使用組成物（または使用溶液）と称され得る。洗浄組成物が、濃縮物または使用溶液として提供されるかどうかに応じて、長鎖ポリアミドおよび他の構成要素の濃度が、異なることを理解されたい。
【００４５】
使用溶液は、所望の洗浄特性を有する使用溶液を提供する希釈比で濃縮物を水で希釈することによって、濃縮物から調製され得る。濃縮物を希釈して使用組成物を形成するために使用される水は、希釈水または希釈剤と称され得、場所によって変化し得る。典型的な希釈係数は、およそ１〜およそ１０，０００であるが、水の硬度、除去される汚れの量などの要因に依存するであろう。一実施形態において、濃縮物は、約１：１０〜約１：１０，０００の濃縮物と水との比で希釈される。具体的には、濃縮物は、約１：１００〜約１：５，０００の濃縮物と水との比で希釈される。より具体的には、濃縮物は、約１：２５０〜約１：２，０００の間の濃縮物と水との比で希釈される。
【００４６】
一態様では、洗浄組成物の使用溶液は、（組成物のいくつかの実施形態は、口紅汚れ除去にアルカリ源を必要としないため）約０ｐｐｍ〜約２０００ｐｐｍのアルカリ度、および約１０ｐｐｍ〜約２５０ｐｐｍの長鎖ポリアミンを有する。好ましい態様では、洗浄組成物の使用溶液は、約１００ｐｐｍ〜約２０００ｐｐｍのアルカリ度、および約１０ｐｐｍ〜約２００ｐｐｍの長鎖ポリアミンを有する。好ましい態様では、洗浄組成物の使用溶液は、約５００ｐｐｍ〜約１５００ｐｐｍのアルカリ度、および約１００ｐｐｍ〜約２００ｐｐｍの長鎖ポリアミンを有する。好ましい態様では、洗浄組成物の使用溶液は、約７５０ｐｐｍ〜約１２５０ｐｐｍのアルカリ度、および約１００ｐｐｍ〜約２００ｐｐｍの長鎖ポリアミンを有する。加えて、本発明に従うよう限定するものではないが、列挙される全ての範囲は、範囲を定義する数字を含み、定義された範囲内の各整数を含む。
【００４７】
アルカリ源
いくつかの態様では、組成物は、有効量の１種以上のアルカリ源を含む。他の態様では、組成物は、アルカリ源を含まず、効果的な汚れ除去を予想外に提供し得る。アルカリ源を用いる組成物では、有効量の１種以上のアルカリ源は、約７〜約１４のｐＨを有する組成物を提供する量としてみなされる必要がある。特定の実施形態では、洗浄組成物は、約７．５〜約１３．５のｐＨを有する。特定の実施形態では、洗浄組成物は、約８〜約１３のｐＨを有する。洗浄サイクルの間、使用溶液は、約８〜約１３のｐＨを有する。特定の実施形態では、使用溶液は、約９〜１１のｐＨを有する。洗浄組成物の好適なアルカリ源の例としては、例えば、アルカリ金属炭酸塩などの炭酸塩を含む炭酸塩系アルカリ源、例えば、アルカリ金属水酸化物を含む苛性系アルカリ源が挙げられるが、これらに限定されない。他の好適なアルカリ源としては、金属ケイ酸塩、金属ホウ酸塩、および有機アルカリ源を挙げることができる。使用することができる例示的なアルカリ金属炭酸塩としては、炭酸ナトリウム、炭酸カリウム、重炭酸塩、セスキ炭酸塩、およびこれらの混合物が挙げられるが、これらに限定されない。使用することができる例示的なアルカリ金属水酸化物としては、水酸化ナトリウム、水酸化リチウム、または水酸化カリウムが挙げられる。使用することができる例示的な金属ケイ酸塩としては、ケイ酸ナトリウムもしくはケイ酸カリウムまたはメタケイ酸塩が挙げられるが、これらに限定されない。例示的な金属ホウ酸塩としては、ホウ酸ナトリウムまたはホウ酸カリウムが挙げられるが、これらに限定されない。
【００４８】
有機アルカリ源は、多くの場合、例えば、アンモニア（水酸化アンモニウム）、アミン、アルカノールアミン、およびアミノアルコールを含む強い窒素塩基である。アミンの典型的な例としては、少なくとも１個の窒素が連結した炭化水素基を有する、一級、二級、または三級アミン、およびジアミンが挙げられ、炭化水素基は、少なくとも１０個の炭素原子および好ましくは１６〜２４個の炭素原子を有する飽和または不飽和の直鎖または分岐アルキル基、または最大２４個の炭素原子を含有するアリール、アラルキル、もしくはアルカリル基を表し、任意の他の窒素が連結した基は、任意に置換されたアルキル基、アリール基、またはアラルキル基、またはポリアルコキシ基によって形成される。アルカノールアミンの典型例としては、モノエタノールアミン、モノプロパノールアミン、ジエタノールアミン、ジプロパノールアミン、トリエタノールアミン、トリプロパノールアミン等が挙げられる。アミノアルコールの典型例としては、２−アミノ−２−メチル−１−プロパノール、２−アミノ−１−ブタノール、２−アミノ−２−メチル−１，３−プロパンジオール、２−アミノ−２−エチル−１，３−プロパンジオール、ヒドロキシメチルアミノメタン等が挙げられる。
【００４９】
一般的には、アルカリ源は、水性または粉末形態のいずれかで一般に入手可能であり、いずれも本洗剤組成物の配合に有用である。アルカリは、水溶液に溶解する、固体ビーズ、顆粒状もしくは粒子状形態、またはこれらの組み合わせを含む、当該技術分野において既知の任意の形態で組成物に添加され得る。
【００５０】
一般的には、洗浄組成物は、洗剤組成物の総重量の約０重量％〜約９９重量％、約０．００５重量％〜約９５重量％、約０．０１重量％〜約９０重量％、約０．０１５重量％〜約９０重量％、約１０重量％〜約９０重量％、約２０重量％〜約９０重量％、約４０重量％〜約９０重量％、約５０重量％〜約９０重量％、および約５０重量％〜約８５重量％の量のアルカリ源（複数可）を含むことが予期される。使用溶液に希釈した場合、本発明の組成物は、約０ｐｐｍ〜約４０００ｐｐｍのアルカリ源、約１０ｐｐｍ〜約４０００ｐｐｍのアルカリ源、好ましくは約１００ｐｐｍ〜約１５００ｐｐｍ、最も好ましくは約１００ｐｐｍ〜１０００ｐｐｍを含み得る。加えて、本発明に従うよう限定するものではないが、列挙される全ての範囲は、範囲を定義する数字を含み、定義された範囲内の各整数を含む。
【００５１】
長鎖ポリアミン
組成物は、有効量の１種以上の長鎖ポリアミンを含む。本明細書で言及されるように、長鎖ポリアミンとしては、Ｃ６〜Ｃ２０アミン、好ましくはＣ６〜Ｃ１８ポリアミン、好ましくはＣ６〜Ｃ１２ポリアミン、好ましくはＣ１２〜Ｃ２０ポリアミン、好ましくはＣ１２〜Ｃ１８ポリアミン、または好ましくはＣ１８〜Ｃ２０ポリアミンが挙げられる。組成物での使用に好適な長鎖ポリアミンは、分岐または非分岐であり得る。好ましい態様では、組成物での使用に好適な長鎖ポリアミンは、構造中に芳香族官能基を有さない非分岐直鎖アミンである。好ましい態様では、組成物での使用に好適な長鎖ポリアミンは、１〜５個の窒素を有する非分岐直鎖アミンである。
【００５２】
例示的なＣ６〜Ｃ２０ポリアミンとしては、それぞれ以下に示される式を有する、Ｎ１−（３−アミノプロピル）−Ｎ３−ドデシルプロパン−１，３，ジアミン［Ｉ］、およびＮ１，Ｎ１，Ｎ３−トリス（３−アミノプロピル）−Ｎ３−ドデシルプロパン−１，３−ジアミン［ＩＩ］が挙げられる。
【化１】
2021502433.tif 000008
【００５３】
一態様では、組成物は、約０．０００５重量％〜約９９重量％の長鎖ポリアミン、約０．０００５重量％〜約５０重量％の長鎖ポリアミン、約０．００１重量％〜約３０重量％の長鎖ポリアミン、約０．００５重量％〜約２０重量％の長鎖ポリアミン、約０．０１重量％〜約１０重量％の長鎖ポリアミン、約１重量％〜約３０重量％の長鎖ポリアミン、約１重量％〜約２０重量％の長鎖ポリアミン、または好ましくは約０．１重量％〜約１０重量％の長鎖ポリアミンを含む。加えて、本発明に従うよう限定するものではないが、列挙される全ての範囲は、範囲を定義する数字を含み、定義された範囲内の各整数を含む。
【００５４】
アルカリ源を含有するか、またはアルカリ源を有さない洗浄組成物では、組成物は、少なくとも中性からアルカリ性のｐＨを有して、アルカリ性洗浄組成物を提供する。アルカリ性洗浄組成物は、例えばリン系酸を含む、酸または酸味料を含まない。結果として、アルカリ性洗浄組成物中の長鎖ポリアミンは、中和されたアミンではなく、それらはカチオン性ポリアミンではないことを意味する。
【００５５】
消泡界面活性剤
洗浄組成物の構成要素は、消泡界面活性剤をさらに含み得る。例示的な消泡界面活性剤としては、アルコキシル化非イオン性界面活性剤、ポリオキシプロピレン−ポリオキシエチレンポリマー化合物、および反転ポリオキシプロピレン−ポリオキシエチレンポリマー化合物が挙げられる。
【００５６】
本発明の組成物で使用するのに好適な非イオン性界面活性剤には、アルコキシル化界面活性剤が挙げられる。好適なアルコキシル化界面活性剤としては、ＥＯ／ＰＯコポリマー、キャップドＥＯ／ＰＯコポリマー、アルコールアルコキシレート、キャップドアルコールアルコキシレート、これらの混合物などが挙げられる。溶媒として使用するのに好適なアルコキシル化界面活性剤としては、Ｐｌｕｒｏｎｉｃおよび逆Ｐｌｕｒｏｎｉｃ界面活性剤などのＥＯ／ＰＯブロックコポリマー；Ｄｅｈｙｐｏｎ  ＬＳ−５４（Ｒ−（ＥＯ）５（ＰＯ）４）およびＤｅｈｙｐｏｎ  ＬＳ−３６（Ｒ−（ＥＯ）３（ＰＯ）６）などのアルコールアルコキシレート；Ｐｌｕｒａｆａｃ  ＬＦ２２１およびＴｅｇｏｔｅｎ  ＥＣ１１などのキャップドアルコールアルコキシレート；これらの混合物などが挙げられる。
【００５７】
開始剤反応性水素化合物としての、プロピレングリコール、エチレングリコール、グリセロール、トリメチロールプロパン、およびエチレンジアミンをベースとするブロックポリオキシプロピレン−ポリオキシエチレンポリマー化合物。開始剤の逐次的プロポキシル化およびエトキシル化から作製されるポリマー化合物の例は、ＢＡＳＦ  Ｃｏｒｐ製のＰｌｕｒｏｎｉｃ（登録商標）およびＴｅｔｒｏｎｉｃ（登録商標）の商標名で市販されている。Ｐｌｕｒｏｎｉｃ（登録商標）化合物は、エチレンオキシドを、プロピレングリコールの２つのヒドロキシル基へのプロピレンオキシドの付加によって形成される疎水性塩基と縮合させることによって形成される二官能性（２つの反応性水素）化合物である。分子のこの疎水性部分は、約１，０００〜約４，０００の分子量を有する。次いで、エチレンオキシドを、この疎水性物質を親水性基の間に挟むように添加し、最終分子の約１０重量％〜約８０重量％を構成するように、長さによって制御する。Ｔｅｔｒｏｎｉｃ（登録商標）化合物は、プロピレンオキシドおよびエチレンオキシドのエチレンジアミンへの連続添加から誘導された四官能性ブロックコポリマーである。プロピレンオキシドハイドロタイプ（ｈｙｄｒｏｔｙｐｅ）の分子量は、約５００〜約７，０００の範囲であり；親水性のエチレンオキシドは、分子の約１０重量％〜約８０重量％を構成するように付加される。
【００５８】
エチレンオキシドをエチレングリコールに付加して指定の分子量の親水性物質を提供し、次いでプロピレンオキシドを付加して分子の外側（端部）に疎水性ブロックを得ることによって改質され、本質的に反転された、ブロックポリオキシプロピレン−ポリオキシエチレンポリマー化合物。分子の疎水性部分は、約１，０００から約３，１００の分子量を有し、中心の親水性物質は、最終的な分子の１０重量％から約８０重量％を含む。これらの反転Ｐｌｕｒｏｎｉｃｓ（商標）は、ＢＡＳＦ  ＣｏｒｐｏｒａｔｉｏｎによりＰｌｕｒｏｎｉｃ（商標）Ｒ界面活性剤の商標で製造されている。
【００５９】
一態様では、組成物は、約０重量％〜約３０重量％の消泡界面活性剤、約０．００１重量％〜約３０重量％の消泡界面活性剤、約０．００５重量％〜約２０重量％の消泡界面活性剤、約０．０１重量％〜約１５重量％の消泡界面活性剤、約１重量％〜約３０重量％の消泡界面活性剤、または好ましくは約０．１重量％〜約１５重量％の消泡界面活性剤を含む。加えて、本発明に従うよう限定するものではないが、列挙される全ての範囲は、範囲を定義する数字を含み、定義された範囲内の各整数を含む。
【００６０】
追加の機能性成分
洗浄組成物の構成要素は、器物洗浄および洗濯用途での使用に好適な様々な追加の機能性成分とさらに組み合わされ得る。いくつかの実施形態では、任意のアルカリ源および長鎖ポリアミンを含む洗浄組成物は、洗浄組成物の総重量の大部分、または実質的に全てさえも構成する。他の実施形態では、アルカリ源および長鎖ポリアミンを含む洗浄組成物は、洗浄組成物の総重量の大部分、または実質的に全てさえも構成する。例えば、いくつかの実施形態において、その中に追加の機能性配合成分はほとんど、または全く含まれない。
【００６１】
他の実施形態では、追加の機能性成分は、洗浄組成物中に含まれ得る。機能性成分は、組成物に所望の性質および機能性を付与する。本出願の目的のために、「機能性成分」という用語は、用途及び／又は水溶液などの濃縮溶液中に分散または溶解したときに、特定の用途において有益な特性を提供する材料を含む。機能性材料のいくつかの特定の例は、以下により詳細に考察されるが、考察される特定の材料は単に例として挙げられているだけであり、多様な他の機能性成分が使用されてもよい。例えば、以下に考察される機能性材料の多くは、清浄化、具体的には、器物洗浄用途で使用される材料に関する。しかしながら、他の実施形態は、他の用途における使用のための機能性成分を含み得る。
【００６２】
好ましい実施形態では、組成物は、リン、及び／又はリン系酸を含まない。好ましい実施形態では、組成物は、リン、及び／又はホスフェートを含まない。追加の好ましい実施形態では、組成物は、界面活性剤を含む、四級アンモニウム化合物を含まない。さらに好ましい実施形態では、組成物は、ポリエチレンイミン（ＰＥＩ）を含まない。ＰＥＩ（および改質ＰＥＩ）は、エチレンイミン単位−ＣＨ２ＣＨ２ＮＨ−から構成される材料であり、分岐している場合、窒素上の水素は、エチレンイミン単位の別の鎖に置き換えられる。
【００６３】
他の実施形態では、組成物は、洗浄界面活性剤及び／又は消泡界面活性剤、消泡剤、再付着防止剤、水質調整ポリマー、漂白剤、溶解度調整剤、分散剤、すすぎ補助剤、金属保護剤、安定化剤、腐食防止剤、酵素、充填剤、金属イオン封鎖剤及び／又はキレート剤を挙げることができ、ホスホネート、香料及び／又は染料、レオロジー調整剤または増粘剤、ヒドロトロープまたはカプラー、緩衝剤、溶媒などが挙げられる。
【００６４】
界面活性剤
いくつかの実施形態では、組成物は、少なくとも１種の界面活性剤を含み得る。本発明の組成物と共に使用するための好適な界面活性剤としては、非イオン性界面活性剤、アニオン性界面活性剤、カチオン性界面活性剤、および双性イオン界面活性剤が挙げられるが、これらに限定されない。いくつかの実施形態では、組成物は、約０重量％〜約２５重量％の界面活性剤を含む。他の実施形態では、組成物は、約０重量％〜約５重量％の界面活性剤を含む。加えて、本発明に従うよう限定するものではないが、列挙される全ての範囲は、範囲を定義する数字を含み、定義された範囲内の各整数を含む。
【００６５】
非イオン性界面活性剤
有用な非イオン界面活性剤は、一般的に、有機疎水基および有機親水基の存在を特徴とし、典型的には、有機脂肪族、アルキル芳香族、またはポリオキシアルキレン疎水性化合物と、一般的には、エチレンオキシドまたはその多水和生成物（ｐｏｌｙｈｙｄｒａｔｉｏｎ  ｐｒｏｄｕｃｔ）、ポリエチレングリコールである親水性アルカリ性オキシド部分との縮合によって生成される。具体的には、反応性水素原子を有するヒドロキシル、カルボキシル、アミノ、またはアミド基を有する任意の疎水性化合物を、エチレンオキシド、もしくはその多水和添加剤、またはプロピレンオキシド等のアルコキシレンとのその混合物と縮合させて、非イオン表面活性剤を形成することができる。任意の特定の疎水性化合物と縮合する親水性ポリオキシアルキレン部分の長さは、親水性特性と疎水性特性との間の所望の程度のバランスを有する水分散性または水溶性化合物を生成するように、容易に調節され得る。有用な非イオン性界面活性剤には、
【００６６】
開始剤反応性水素化合物としての、プロピレングリコール、エチレングリコール、グリセロール、トリメチロールプロパン、およびエチレンジアミンをベースとするブロックポリオキシプロピレン−ポリオキシエチレンポリマー化合物。開始剤の連続的なプロポキシル化およびエトキシル化から作製されるポリマー化合物の例は、ＢＡＳＦ  Ｃｏｒｐ．から市販されている。１つのクラスの化合物は、エチレンオキシドと、プロピレングリコールの２つのヒドロキシル基へのプロピレンオキシドの付加によって形成される疎水性塩基とを縮合することによって形成される二官能性（２つの反応性水素）化合物である。分子のこの疎水性部分は、約１，０００から約４，０００の分子量を有する。次いで、エチレンオキシドは、この疎水性物質を親水基の間に挟み込むように付加され、最終的な分子の約１０重量％から約８０重量％を構成するように長さにより制御される。化合物の別のクラスは、プロピレンオキシドおよびエチレンオキシドのエチレンジアミンへの逐次的付加から得られる三官能性ブロックコポリマーである。プロピレンオキシドハイドロタイプ（ｈｙｄｒｏｔｙｐｅ）の分子量は、約５００〜約７，０００の範囲であり；親水性のエチレンオキシドは、分子の約１０重量％〜約８０重量％を構成するように付加される。
【００６７】
直鎖もしくは分岐鎖構成の、または単一もしくは二重アルキル構成物質のアルキル鎖が約８〜約１８個の炭素原子を含有する１モルのアルキルフェノールの、約３〜約５０モルのエチレンオキシドとの縮合生成物。アルキル基は、例えば、ジイソブチレン、ジ−アミル、重合プロピレン、イソ−オクチル、ノニル、およびジ−ノニルにより代表され得る。これらの界面活性剤は、アルキルフェノールのポリエチレン、ポリプロピレン、およびポリブチレンオキシド縮合物であってもよい。この化学の商業的化合物の例は、Ｒｈｏｎｅ−Ｐｏｕｌｅｎｃ製のＩｇｅｐａｌ（登録商標）、およびＵｎｉｏｎ  Ｃａｒｂｉｄｅ製のＴｒｉｔｏｎ（登録商標）の商品名で市販されている。
【００６８】
約６〜約２４個の炭素原子を有する１モルの飽和または不飽和直鎖または分岐鎖アルコールと、約３〜約５０モルのエチレンオキシドとの縮合生成物。アルコール部分は、上述された炭素範囲内のアルコールの混合物からなり得るか、またはこの範囲内の特定の数の炭素原子を有するアルコールからなり得る。同様の商業的界面活性剤の例は、ＢＡＳＦ製のＬｕｔｅｎｓｏｌ（商標）、Ｄｅｈｙｄｏｌ（商標）、Ｓｈｅｌｌ  Ｃｈｅｍｉｃａｌ  Ｃｏ．製のＮｅｏｄｏｌ（商標）、およびＶｉｓｔａ  Ｃｈｅｍｉｃａｌ  Ｃｏ．製のＡｌｆｏｎｉｃ（商標）の商品名で入手可能である。
【００６９】
約８〜約１８個の炭素原子を有する１モルの飽和または不飽和直鎖または分岐鎖カルボン酸と、約６〜約５０モルのエチレンオキシドとの縮合生成物。酸部分は、上記に定義された炭素原子範囲内の酸の混合物からなり得るか、またはこの範囲内の特定の数の炭素原子を有する酸からなり得る。この化学の商業的化合物の例は、ＢＡＳＦ製のＤｉｓｐｏｎｉｌまたはＡｇｎｉｑｕｅ、およびＬｉｐｏ  Ｃｈｅｍｉｃａｌｓ，Ｉｎｃ．製のＬｉｐｏｐｅｇ（商標）の商品名で市販されている。
【００７０】
一般にポリエチレングリコールエステルと呼ばれるエトキシル化カルボン酸に加えて、グリセリド、グリセリン、および多価（サッカリドまたはソルビタン／ソルビトール）アルコールとの反応により形成される他のアルカン酸エステルは、特殊化された実施形態、特に間接的食品添加剤用途について本明細書における用途を有する。これらのエステル部分は全て、その分子上に、これらの物質の親水性を制御するためにさらなるアシル化またはエチレンオキシド（アルコキシド）付加に供され得る１つ以上の反応性水素部位を有する。これらの脂肪エステルもしくはアシル化炭水化物を、アミラーゼ及び／又はリパーゼ酵素を含有する本発明の組成物に追加する場合、不適合性の可能性があるため、注意しなければならない。
【００７１】
非イオン性低発泡性界面活性剤の例は以下を含む。
エチレンオキシドをエチレングリコールに付加して指定の分子量の親水性物質を提供し；次いでプロピレンオキシドを付加して分子の外側（端部）に疎水性ブロックを得ることにより改質され、本質的に反転された（１）からの化合物。分子の疎水性部分は、約１，０００から約３，１００の分子量を有し、中心の親水性物質は、最終的な分子の１０重量％から約８０重量％を含む。これらの反転Ｐｌｕｒｏｎｉｃｓ（商標）は、ＢＡＳＦ  ＣｏｒｐｏｒａｔｉｏｎによりＰｌｕｒｏｎｉｃ（商標）Ｒ界面活性剤の商標で製造されている。同様に、Ｔｅｔｒｏｎｉｃ（商標）Ｒ界面活性剤は、ＢＡＳＦ  Ｃｏｒｐｏｒａｔｉｏｎにより、エチレンオキシドおよびプロピレンオキシドのエチレンジアミンへの逐次的付加によって製造されている。分子の疎水性部分は、約２，１００から約６，７００の分子量を有し、中心の親水性物質は、最終的な分子の１０重量％から約８０重量％を含む。
【００７２】
プロピレンオキシド、ブチレンオキシド、塩化ベンジル等の疎水性小分子、および、１〜約５個の炭素原子を含有する短鎖脂肪酸、アルコール、もしくはハロゲン化アルキル、ならびにこれらの混合物との反応によって発泡を低減させるために、（多官能性部分の）末端ヒドロキシ基（複数可）を、「キャッピング」もしくは「末端ブロック」することによって改質された化合物。また、末端ヒドロキシ基を塩化物基に変換する塩化チオニル等の反応物質も含まれる。末端ヒドロキシ基へのそのような修飾は、全ブロック、ブロック−ヘテロ、ヘテロ−ブロック、または全ヘテロ非イオン性物質をもたらし得る。
【００７３】
有効な低発泡性非イオン性物質の追加の例は以下を含む。
１９５９年９月８日にＢｒｏｗｎらに発行された米国特許第２，９０３，４８６号の、
【化２】
2021502433.tif 000009
Ｒが、８〜９個の炭素原子のアルキル基であり、Ａが、３〜４個の炭素原子のアルキレン鎖であり、ｎが、７〜１６の整数であり、ｍが、１〜１０の整数である、式によって表されるアルキルフェノキシポリエトキシアルカノール。
【００７４】
末端疎水性鎖の重量、中間疎水性単位の重量、および連結親水性単位の重量がそれぞれ縮合物の約３分の１を表す、交互親水性オキシエチレン鎖および疎水性オキシプロピレン鎖を有する、１９６２年８月７日にＭａｒｔｉｎらに発行された米国特許第３，０４８，５４８号のポリアルキレングリコール縮合物。
【００７５】
Ｚが、アルコキシル化可能な材料であり、Ｒが、エチレンおよびプロピレンであり得るアルキレンオキシドから誘導されるラジカルであり、ｎが、例えば、１０〜２，０００以上の整数であり、ｚが、反応性オキシアルキル化可能な基の数によって決定される整数である、一般式Ｚ［（ＯＲ）ｎＯＨ］ｚを有する、１９６８年５月７日にＬｉｓｓａｎｔらに発行された米国特許第３，３８２，１７８号に開示される消泡性非イオン性界面活性剤。
【００７６】
Ｙが、約１〜６個の炭素原子および１個の反応性水素原子を有する有機化合物の残基であり、ｎが、ヒドロキシル価により決定される少なくとも約６．４の平均値を有し、ｍが、オキシエチレン部分が分子の約１０重量％〜約９０重量％を構成するような値を有する、式Ｙ（Ｃ３Ｈ６Ｏ）ｎ（Ｃ２Ｈ４Ｏ）ｍＨに対応する、１９５４年５月４日にＪａｃｋｓｏｎらに発行された米国特許第２，６７７，７００号に記載の共役ポリオキシアルキレン化合物。
【００７７】
式Ｙ［（Ｃ３Ｈ６Ｏｎ（Ｃ２Ｈ４Ｏ）ｍＨ］ｘ（式中、Ｙは、約２から６個の炭素原子を有し、ｘ個の反応性水素原子（ｘは、少なくとも約２の値を有する）を含有する有機化合物の残基であり、ｎは、ポリオキシプロピレン疎水性塩基の分子量が少なくとも約９００であるような値を有し、ｍは、分子のオキシエチレン含量が約１０重量％から約９０重量％であるような値を有する）を有する、１９５４年４月６日にＬｕｎｄｓｔｅｄらに対して発行された米国特許第２，６７４，６１９号に記載の共役ポリオキシアルキレン化合物。Ｙについての定義の範囲内に該当する化合物は、例えば、プロピレングリコール、グリセリン、ペンタエリスリトール、トリメチロールプロパン、エチレンジアミンなどを含む。オキシプロピレン鎖は、任意選択的であるが、有益なことに、少量のエチレンオキシドを含有し、オキシエチレン鎖もまた、任意選択的であるが、有益なことに、少量のプロピレンオキシドを含有する。
【００７８】
本発明の組成物において有利に使用される追加の共役ポリオキシアルキレン表面活性剤は、式：Ｐ［（Ｃ３Ｈ６Ｏ）ｎ（Ｃ２Ｈ４Ｏ）ｍＨ］ｘに対応し、式中、Ｐが約８から１８個の炭素原子を有し、ｘ個の反応性水素原子を含む有機化合物の残基であり、ｘが１または２の値を有し、ｎがポリオキシエチレン部分の分子量が少なくとも約４４であるような値を有し、ｍが分子のオキシプロピレン含量が約１０重量％から約９０重量％であるような値を有する。いずれの場合においても、オキシプロピレン鎖は、任意選択で、しかし有利に、少量のエチレンオキシドを含有してもよく、オキシエチレン鎖もまた、任意選択で、しかし有利に、少量のプロピレンオキシドを含有してもよい。
【００７９】
本組成物における使用に好適なポリヒドロキシ脂肪酸アミド界面活性剤は、構造式Ｒ２ＣＯＮＲ１Ｚ（式中、Ｒ１は、Ｈ、Ｃ１〜Ｃ４ヒドロカルビル、２−ヒドロキシエチル、２−ヒドロキシプロピル、エトキシ、プロポキシ基、またはそれらの混合であり；Ｒ２は、直鎖であってもよいＣ５〜Ｃ３１ヒドロカルビルであり；Ｚは、鎖に直接接続された少なくとも３つのヒドロキシルを有するヒドロカルビル直鎖を有するポリヒドロキシヒドロカルビル、またはそのアルコキシル化誘導体（好ましくはエトキシル化もしくはプロポキシル化）である）を有するものを含む。Ｚは、グリシチル部分など、還元アミン化反応において還元糖から得られ得る。
【００８０】
脂肪族アルコールの約０〜約２５モルのエチレンオキシドとのアルキルエトキシレート縮合生成物は、本組成物における使用に好適である。脂肪族アルコールのアルキル鎖は、直鎖もしくは分岐鎖、第一級もしくは第二級であり得、また一般に６〜２２個の炭素原子を含有する。
【００８１】
エトキシル化Ｃ６〜Ｃ１８脂肪アルコールならびにＣ６〜Ｃ１８混合エトキシル化およびプロポキシル化脂肪アルコールは、特に水溶性のものは、本組成物における使用に好適な界面活性剤である。好適なエトキシル化脂肪アルコールは、３〜５０のエトキシル化度を有するＣ６〜Ｃ１８エトキシル化脂肪アルコールを含む。
【００８２】
特に本組成物における使用に適した非イオン性アルキルポリサッカリド界面活性剤は、１９８６年１月２１日に発行された米国特許第４，５６５，６４７号、Ｌｌｅｎａｄｏに開示されるものを含む。これらの界面活性剤は、約６〜約３０個の炭素原子を含有する疎水性基およびポリサッカリド、例えば、ポリグリコシド、約１．３〜約１０サッカリド単位を含有する親水性基を含む。５または６個の炭素原子を含有する任意の還元サッカリドを使用することができ、例えば、グルコース、ガラクトース、およびガラクトシル部分をグルコシル部分に置換することができる。（任意に、疎水性基は、２位、３位、４位などで結合し、したがってグルコシドまたはガラクトシドとは対照的にグルコースまたはガラクトースをもたらす。）サッカリド間結合は、例えば、追加のサッカリド単位の１つの位置と、先行するサッカリド単位上の２位、３位、４位、及び／又は６位との間にあり得る。
【００８３】
本組成物における使用に好適な脂肪酸アミド界面活性剤は、式：Ｒ６ＣＯＮ（Ｒ７）２を有するものを含み、式中、Ｒ６が７〜２１個の炭素原子を含むアルキル基であり、各Ｒ７が独立して、水素、Ｃ１〜Ｃ４アルキル、Ｃ１〜Ｃ４ヒドロキシアルキル、または−−（Ｃ２Ｈ４Ｏ）ＸＨであり、式中、ｘが１〜３の範囲内である。
【００８４】
非イオン性界面活性剤の有用なクラスは、アルコキシル化アミン、または、最も具体的には、アルコールアルコキシル化／アミノ化／アルコキシル化界面活性剤として定義されるクラスを含む。これらの非イオン性界面活性剤は、少なくとも部分的に、一般式：Ｒ２０−−（ＰＯ）ＳＮ−−（ＥＯ）ｔＨ、Ｒ２０−−（ＰＯ）ＳＮ−−（ＥＯ）ｔＨ（ＥＯ）ｔＨ、およびＲ２０−−Ｎ（ＥＯ）ｔＨにより表され得、式中、Ｒ２０がアルキル、アルケニルもしくは他の脂肪族基、または８から２０個、好ましくは１２から１４個の炭素原子のアルキル−アリール基であり、ＥＯがオキシエチレンであり、ＰＯがオキシプロピレンであり、ｓが１から２０、好ましくは２〜５であり、ｔは、１〜１０、好ましくは２〜５であり、ｕは、１〜１０、好ましくは２〜５である。これらの化合物の範囲における他の変形例は、代替の式：Ｒ２０−−（ＰＯ）Ｖ−−Ｎ［（ＥＯ）ｗＨ］［（ＥＯ）ｚＨ］により表され得、式中、Ｒ２０が上で定義された通りであり、ｖが１から２０（例えば、１、２、３、または４（好ましくは２））であり、ｗおよびｚが独立して、１〜１０、好ましくは２〜５である。これらの化合物は、商業的には、非イオン性界面活性剤としてＨｕｎｔｓｍａｎ  Ｃｈｅｍｉｃａｌｓにより販売されている製品ラインにより代表される。このクラスの好ましい化学薬品は、Ｓｕｒｆｏｎｉｃ（商標）ＰＥＡ２５アミンアルコキシレートを含む。本発明の組成物に好ましい非イオン性界面活性剤は、アルコールアルコキシレート、ＥＯ／ＰＯブロックコポリマー、アルキルフェノールアルコキシレートなどを含む。
【００８５】
Ｓｃｈｉｃｋ，Ｍ．Ｊ．編集の論文Ｎｏｎｉｏｎｉｃ  Ｓｕｒｆａｃｔａｎｔｓ，Ｖｏｌ．１  ｏｆ  ｔｈｅ  Ｓｕｒｆａｃｔａｎｔ  Ｓｃｉｅｎｃｅ  Ｓｅｒｉｅｓ，Ｍａｒｃｅｌ  Ｄｅｋｋｅｒ，Ｉｎｃ．，Ｎｅｗ  Ｙｏｒｋ，１９８３は、本発明の実施において一般的に用いられる広範な非イオン性化合物に関する優れた参考文献である。非イオン性クラス、およびこれらの界面活性剤の種の典型的なリストは、１９７５年１２月３０日にＬａｕｇｈｌｉｎおよびＨｅｕｒｉｎｇに発行された米国特許第３，９２９，６７８号に記載されている。さらなる例は、「Ｓｕｒｆａｃｅ  Ａｃｔｉｖｅ  Ａｇｅｎｔｓ  ａｎｄ  ｄｅｔｅｒｇｅｎｔｓ」（第Ｉ巻、および第ＩＩ巻、Ｓｃｈｗａｒｔｚ，ＰｅｒｒｙおよびＢｅｒｃｈ）に記載されている。
【００８６】
半極性非イオン性界面活性剤
半極性型の非イオン性表面活性剤は、本発明の組成物において有用な別のクラスの非イオン性界面活性剤である。一般に、半極性非イオン性物質は、高発泡物質および泡安定剤であり、これはＣＩＰシステムにおけるそれらの適用を制限し得る。しかしながら、高発泡浄化方法用に設計された本発明の組成上の実施形態では、半極性非イオン性物質は、即時的な実用性を有する。半極性非イオン性界面活性剤は、アミンオキシド、ホスフィンオキシド、スルホキシドおよびそれらのアルコキシル化誘導体を含む。
【００８７】
アミンオキシドは、一般式に対応する第三級アミンオキシドであり、
【化３】
2021502433.tif 000010
式中、矢印は、半極性結合の従来の表示であり、Ｒ１、Ｒ２、およびＲ３は、脂肪族、芳香族、複素環式、脂環式、またはそれらの組み合わせであり得る。一般に、洗剤関連のアミンオキシドでは、Ｒ１が、約８〜約２４個の炭素原子のアルキルラジカルであり、Ｒ２およびＲ３が、１〜３個の炭素原子のアルキルもしくはヒドロキシアルキル、またはそれらの混合物であり、Ｒ２およびＲ３が、例えば酸素または窒素原子を介して互いに結合し、環構造を形成することができ、Ｒ４が、アルカリ、または２〜３個の炭素原子を含有するヒドロキシアルキレン基であり、ｎが、０〜約２０の範囲である。
【００８８】
有用な水溶性アミンオキシド界面活性剤は、ヤシまたはタロウアルキルジ−（低級アルキル）アミンオキシドから選択され、それらの具体例は、ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアインオキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシド、および３−ドデコキシ−２−ヒドロキシプロピルジ−（２−ヒドロキシエチル）アミンオキシドである。
【００８９】
有用な半極性非イオン性界面活性剤はまた、以下の構造を有する水溶性ホスフィンオキシドを含み、
【化４】
2021502433.tif 000011
式中、矢印は、半極性結合の従来の表示であり、Ｒ１は、１０〜約２４個の炭素原子の鎖長範囲のアルキル、アルケニル、またはヒドロキシアルキル部分であり、Ｒ２およびＲ３は、それぞれ、１〜３個の炭素原子を含有するアルキルまたはヒドロキシアルキル基から別々に選択されるアルキル部分である。
【００９０】
有用なホスフィンオキシドの例としては、ジメチルデシルホスフィンオキシド、ジメチルテトラデシルホスフィンオキシド、メチルエチルテトラデシルホスホンオキシド、ジメチルヘキサデシルホスフィンオキシド、ジエチル−２−ヒドロキシオクチルデシルホスフィンオキシド、ビス（２−ヒドロキシエチル）ドデシルホスフィンオキシド、およびビス（ヒドロキシメチル）テトラデシルホスフィンオキシドが挙げられる。
【００９１】
本明細書において有用な半極性非イオン性界面活性剤はまた、構造を有する水溶性スルホキシド化合物を含み、
【化５】
2021502433.tif 000012
式中、矢印は、半極性結合の従来の表示であり、Ｒ１は、約８〜約２８個の炭素原子、０〜約５個のエーテル結合、および０〜約２個のヒドロキシル置換基のアルキルまたはヒドロキシアルキル部分であり、Ｒ２は、１〜３個の炭素原子を有するアルキルおよびヒドロキシアルキル基からなるアルキル部分である。
【００９２】
これらのスルホキシドの有用な例としては、ドデシルメチルスルホキシド；３−ヒドロキシトリデシルメチルスルホキシド；３−メトキシトリデシルメチルスルホキシド；および３−ヒドロキシ−４−ドデコキシブチルメチルスルホキシドが挙げられる。
【００９３】
本発明の組成物のための半極性非イオン性界面活性剤は、ジメチルアミンオキシド、例えばラウリルジメチルアミンオキシド、ミリスチルジメチルアミンオキシド、セチルジメチルアミンオキシド、それらの組み合わせなどを含む。有用な水溶性アミンオキシド界面活性剤は、オクチル、デシル、ドデシル、イソドデシル、ココナツ、または獣脂アルキルジ−（低級アルキル）アミンオキシドから選択され、その具体例は、オクチルジメチルアミンオキシド、ノニルジメチルアミンオキシド、デシルジメチルアミンオキシド、ウンデシルジメチルアミンオキシド、ドデシルジメチルアミンオキシド、イソドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアミンオキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシドおよび３−ドデコキシ−２−ヒドロキシプロピルジ−（２−ヒドロキシエチル）アミンオキシドである。
【００９４】
本発明の組成物で使用するのに好適な非イオン性界面活性剤には、アルコキシル化界面活性剤が挙げられる。好適なアルコキシル化界面活性剤としては、ＥＯ／ＰＯコポリマー、キャップドＥＯ／ＰＯコポリマー、アルコールアルコキシレート、キャップドアルコールアルコキシレート、これらの混合物などが挙げられる。溶媒として使用するのに好適なアルコキシル化界面活性剤としては、Ｐｌｕｒｏｎｉｃおよび逆Ｐｌｕｒｏｎｉｃ界面活性剤などのＥＯ／ＰＯブロックコポリマー；Ｄｅｈｙｐｏｎ  ＬＳ−５４（Ｒ−（ＥＯ）５（ＰＯ）４）およびＤｅｈｙｐｏｎ  ＬＳ−３６（Ｒ−（ＥＯ）３（ＰＯ）６）などのアルコールアルコキシレート；Ｐｌｕｒａｆａｃ  ＬＦ２２１およびＴｅｇｏｔｅｎ  ＥＣ１１などのキャップドアルコールアルコキシレート；これらの混合物などが挙げられる。
【００９５】
アニオン性界面活性剤
疎水性物質の電荷が負であるためアニオン性物質として分類される表面活性物質、またはｐＨが中性以上に上昇しない限り、分子の疎水性部分が電荷を持たない界面活性剤（例えば、カルボン酸）もまた、本発明において有用である。カルボキシレート、スルホネート、スルフェート、およびホスフェートは、アニオン性界面活性剤に見られる極性（親水性）可溶化基である。これらの極性基と関連したカチオン（対イオン）のうち、ナトリウム、リチウム、およびカリウムは、水溶性を付与し、アンモニウムおよび置換アンモニウムイオンは、水溶性および油溶性の両方を提供し、カルシウム、バリウム、およびマグネシウムは、油溶性を促進する。当業者が理解するように、アニオン性物質は、優れた洗浄性界面活性剤であり、したがって重質洗剤組成物への好ましい添加物である。
【００９６】
本組成物における使用に好適なアニオン性スルフェート界面活性剤としては、アルキルエーテルスルフェート、アルキルスルフェート、直鎖および分岐第一級および第二級アルキルスルフェート、アルキルエトキシスルフェート、脂肪オレイルグリセロールスルフェート、アルキルフェノールエチレンオキシドエーテルスルフェート、Ｃ５〜Ｃ１７アシル−Ｎ−（Ｃ１〜Ｃ４アルキル）および−Ｎ−（Ｃ１〜Ｃ２ヒドロキシアルキル）グルカミンスルフェート、ならびにアルキルポリグルコシドのスルフェートなどのアルキル多糖類のスルフェートなどが挙げられる。また、エチレンオキシドおよびノニルフェノールのスルフェートまたは濃縮生成物（通常１分子当たり１〜６個のオキシエチレン基を有する）等の、アルキルスルフェート、アルキルポリ（エチレンオキシ）エーテルスルフェート、および芳香族ポリ（エチレンオキシ）スルフェートも含まれる。
【００９７】
本組成物において使用するのに好適な陰イオン性スルホネート界面活性剤としてはまた、アルキルスルホネート、直鎖および分岐第一級および第二級アルキルスルホネート、ならびに置換基を有するかまたは有しない芳香族スルホネートが挙げられる。
【００９８】
本組成物における使用に適したアニオン性カルボキシレート界面活性剤としては、カルボン酸（および塩）、例えば、アルカン酸（およびアルカノエート）、エステルカルボン酸（例えば、アルキルスクシネート）、エーテルカルボン酸、スルホン化脂肪酸、例えば、スルホン化オレイン酸などが挙げられる。そのようなカルボキシレートとしては、アルキルエトキシカルボキシレート、アルキルアリールエトキシカルボキシレート、アルキルポリエトキシポリカルボキシレート界面活性剤、および石鹸（例えば、アルキルカルボキシル）が挙げられる。本組成物において有用な第二級カルボキシレートとしては、第二級炭素に接続されたカルボキシル単位を含有するものが挙げられる。第二級炭素は、例えば、ｐ−オクチル安息香酸におけるように、またはアルキル置換シクロヘキシルカルボキシレートにおけるように、環構造にあってもよい。第二級カルボキシレート界面活性剤は、典型的にはエーテル結合、エステル結合、およびヒドロキシル基を含まない。さらに、それらは、典型的には、頭部基（両親媒性部分）内に窒素原子を欠く。好適な第二級石鹸界面活性剤は、典型的には、１１〜１３個の総炭素原子を含有するが、より多くの炭素原子（例えば、最大１６個）が存在し得る。適切なカルボキシレートとしてはまた、例えば、アシルグルタメート、アシルペプチド、サルコシネート（例えば、Ｎ−アシルサルコシネート）、タウレート（例えば、Ｎ−アシルタウレートおよびメチルタウリドの脂肪酸アミド）などのアシルアミノ酸（および塩）が挙げられる。
【００９９】
適切なアニオン性界面活性剤としては、以下の式のアルキルまたはアルキルアリールエトキシカルボキシレートが挙げられ、
Ｒ−Ｏ−（ＣＨ２ＣＨ２Ｏ）ｎ（ＣＨ２）ｍ−ＣＯ２Ｘ（３）
式中、Ｒは、Ｃ８〜Ｃ２２アルキル基であるか、または
【化６】
2021502433.tif 000013
であり、Ｒ１は、Ｃ４〜Ｃ１６アルキル基であり、ｎは、１〜２０の整数であり、ｍは、１〜３の整数であり、Ｘは、水素、ナトリウム、カリウム、リチウム、アンモニウムなどの対イオン、またはモノエタノールアミン、ジエタノールアミン、もしくはトリエタノールアミンなどのアミン塩である。いくつかの実施形態では、ｎは４〜１０の整数であり、ｍは１である。いくつかの実施形態では、Ｒは、Ｃ８〜Ｃ１６アルキル基である。いくつかの実施形態では、Ｒは、Ｃ１２〜Ｃ１４アルキル基であり、ｎは４であり、ｍは１である。
【０１００】
他の実施形態では、Ｒは、
【化７】
2021502433.tif 000014
であり、Ｒ１は、Ｃ６〜Ｃ１２アルキル基である。またさらに他の実施形態では、Ｒ１は、Ｃ９アルキル基であり、ｎは１０であり、ｍは１である。
【０１０１】
そのようなアルキルおよびアルキルアリールエトキシカルボキシレートは市販されている。これらのエトキシカルボキシレートは、典型的には、酸の形態として入手可能であり、それらは、アニオン性または塩の形態に容易に変換され得る。市販のカルボキシレートとしては、Ｎｅｏｄｏｘ  ２３−４、Ｃ１２〜１３アルキルポリエトキシ（４）カルボン酸（Ｓｈｅｌｌ  Ｃｈｅｍｉｃａｌ）、およびＥｍｃｏｌ  ＣＮＰ−１１０、Ｃ９アルキルアリールポリエトキシ（１０）カルボン酸（Ｗｉｔｃｏ  Ｃｈｅｍｉｃａｌ）が挙げられる。カルボキシレート、例えば製品Ｓａｎｄｏｐａｎ（登録商標）ＤＴＣ、Ｃ１３アルキルポリエトキシ（７）カルボン酸もまた、Ｃｌａｒｉａｎｔから入手可能である。
【０１０２】
カチオン性界面活性剤
表面活性物質は、分子のヒドロトロープ部分上の電荷が正である場合、カチオン性と分類される。ヒドロトロープが、ｐＨが中性近く、またはそれ以下まで下げられない限り電荷を帯びないが、その後カチオン性（例えば、アルキルアミン）である界面活性剤も、この群に含まれる。理論的には、カチオン性界面活性剤は、「オニウム」構造ＲｎＸ＋Ｙ−−を含む元素のいずれの組み合わせからも合成され得、リン（ホスホニウム）および硫黄（スルホニウム）等の窒素（アンモニウム）以外の化合物を含み得る。実際には、カチオン性界面活性剤の分野は、恐らく、窒素のカチオン性界面活性剤への合成経路が単純かつ容易であり、高収率の生成物を生じ、これが、窒素のカチオン性界面活性剤をより安価にするために、窒素含有化合物によって支配されている。
【０１０３】
カチオン性界面活性剤は、好ましくは、少なくとも１つの長炭素鎖疎水性基および少なくとも１つの正電荷を帯びた窒素を含有する化合物を指す。長炭素鎖基は、単純な置換によって窒素原子に直接結合されてもよく、またはより好ましくは、所謂中断アルキルアミンおよびアミドアミン内の架橋官能基（複数可）によって間接的に結合されてもよい。そのような官能基は、分子を、より親水性及び／又はより水分散性にし、共界面活性剤混合物によってより容易に水に溶解されるようにし、かつ／または水溶性にすることができる。水溶性の増大のために、追加の第一級、第二級、もしくは第三級アミノ基が導入され得るか、またはアミノ窒素が低分子量アルキル基を用いて四級化され得る。さらに、窒素は、多様な不飽和度の分岐鎖もしくは直鎖部分の一部、または飽和もしくは不飽和複素環式環の一部であり得る。それに加えて、カチオン性界面活性剤は、２個以上のカチオン性窒素原子を有する複雑な結合を含有してもよい。
【０１０４】
アミンオキシド、両性物質および双性イオンとして分類される界面活性剤化合物は、それ自体が一般的には中性近くから酸性ｐＨの溶液中でカチオン性であり、界面活性剤の分類と重複する。ポリオキシエチル化カチオン性界面活性剤は、概して、アルカリ性溶液中で非イオン性界面活性剤のように挙動し、酸性溶液中でカチオン性界面活性剤のように挙動する。
【０１０５】
大量の商業用陽イオン界面活性剤の大部分は、当業者に既知の４つの主なクラスおよび追加の部分群に細分することができ、“Ｓｕｒｆａｃｔａｎｔ  Ｅｎｃｙｃｌｏｐｅｄｉａ”，Ｃｏｓｍｅｔｉｃｓ＆Ｔｏｉｌｅｔｒｉｅｓ，Ｖｏｌ．１０４（２）８６−９６（１９８９）に記載されている。第１のクラスは、アルキルアミンおよびそれらの塩を含む。第２のクラスは、アルキルイミダゾリンを含む。第３のクラスは、エトキシル化アミンを含む。第４のクラスは、例えば、アルキルベンジルジメチルアンモニウム塩、アルキルベンゼン塩、複素環アンモニウム塩、テトラアルキルアンモニウム塩等の第四級物を含む。カチオン性界面活性剤は、本組成物において有益であり得る多様な特性を有することが知られている。これらの望ましい特性としては、中性ｐＨ以下の組成物における洗浄力、抗微生物性効能、他の薬剤と連携した増粘またはゲル等が含まれ得る。
【０１０６】
本発明の組成物において有用なカチオン性界面活性剤としては、式Ｒ１ｍＲ２ｘＹＬＺを有するものが挙げられ、式中、各Ｒ１は、直鎖または分岐アルキルまたはアルケニル基を含有し、最大３個のフェニルまたはヒドロキシ基で任意選択的に置換され、以下の構造のうちの最大４つ：
【化８】
2021502433.tif 000015
またはこれらの構造の異性体もしくは混合物によって任意選択的に中断された有機基であり、それは、約８〜２２個の炭素原子を含有する。Ｒ１基は、追加的に最大１２個のエトキシ基を含有し得る。ｍは、１〜３の数字である。好ましくは、分子中の１個以下のＲ１基は、ｍが２であるときに１６個以上の炭素原子を有するか、またはｍが３であるときに１２個超の炭素原子を有する。各Ｒ２は、１〜４個の炭素原子またはベンジル基を含有するアルキルまたはヒドロキシアルキル基であり、かつ分子中の１個以下のＲ２は、ベンジルであり、ｘは、０〜１１、好ましくは０〜６の数である。Ｙ基上の任意の炭素原子位置の残りは、水素によって占められる。
Ｙは、以下を含むが、これらに限定されない基であり得る。
【化９】
2021502433.tif 000016
またはこれらの混合物であり得る。好ましくは、Ｌは、１または２であり、かつＹ基は、Ｌが２であるとき、１〜約２２個の炭素原子と２個の遊離炭素単結合とを有するＲ１およびＲ２類似体（好ましくはアルキレンまたはアルケニレン）から選択される部分によって分離されている。Ｚは、ハロゲン化物アニオン、硫酸アニオン、メチル硫酸アニオン、水酸化物アニオン、または硝酸アニオンなどの水溶性アニオンであり、特に塩化物アニオン、臭化物アニオン、ヨウ化物アニオン、硫酸アニオン、またはメチル硫酸アニオンが、カチオン性構成成分の電気的中性を付与する数において好ましい。
【０１０７】
両性界面活性剤
両性（ａｍｐｈｏｔｅｒｉｃ）または両性（ａｍｐｈｏｌｙｔｉｃ）界面活性剤は、塩基性および酸性親水性基、ならびに有機疎水性基の両方を含有する。これらのイオン性実体は、他の種類の界面活性剤について本明細書に記載されているアニオン性基またはカチオン性基のいずれであってもよい。塩基性窒素および酸性カルボキシレート基は、塩基性および酸性親水性基として用いられる典型的な官能基である。いくつかの界面活性剤では、スルホネート、スルフェート、ホスホネート、またはホスフェートは、負電荷を提供する。
【０１０８】
両性界面活性剤は、脂肪族第二級および第三級アミンの誘導体として広く記載することができ、ここで脂肪族ラジカルは、直鎖または分岐であってよく、脂肪族置換基のうちの１個は、約８〜１８個の炭素原子を含み、１個は、アニオン性水可溶化基、例えば、カルボキシ、スルホ、スルファト、ホスファト、またはホスホノを含む。両性界面活性剤は、当業者に知られており、その全体が参照により本明細書に組み込まれる「Ｓｕｒｆａｃｔａｎｔ  Ｅｎｃｙｃｌｏｐｅｄｉａ」Ｃｏｓｍｅｔｉｃｓ＆Ｔｏｉｌｅｔｒｉｅｓ，Ｖｏｌ．１０４（２）６９−７１（１９８９）に記載されている２つの主なクラスに細分される。第１のクラスには、アシル／ジアルキルエチレンジアミン誘導体（例えば、２−アルキルヒドロキシエチルイミダゾリン誘導体）およびそれらの塩が含まれる。第２のクラスには、Ｎ−アルキルアミノ酸およびそれらの塩が含まれる。いくつかの両性界面活性剤は、両方のクラスに適合すると想定され得る。
【０１０９】
両性界面活性剤は、当業者に既知の方法で合成され得る。例えば、２−アルキルヒドロキシエチルイミダゾリンは、長鎖カルボン酸（または誘導体）とジアルキルエチレンジアミンとの縮合および閉環によって合成される。市販の両性界面活性剤は、その後の加水分解およびアルキル化によるイミダゾリン環の開環によって、例えばクロロ酢酸または酢酸エチルを用いて誘導体化される。アルキル化の間に、１または２つのカルボキシ−アルキル基が反応して、第三級アミンおよびエーテル結合を形成し、異なるアルキル化剤が、異なる第三級アミンを生じる。
【０１１０】
本発明における用途を有する長鎖イミダゾール誘導体は、概して、以下の一般式：
【化１０】
2021502433.tif 000017
式中、Ｒは、約８〜約１８個の炭素原子を含有する非環式疎水基であり、Ｍは、アニオンの電荷を中和するためのカチオン、一般的にはナトリウムである。本組成物に用いることができる商業的に有名なイミダゾリン由来両性化合物としては、例えば、ココアンホプロピオネート、ココアンホカルボキシ−プロピオネート、ココアンホグリシネート、ココアンホカルボキシ−グリシネート、ココアンホプロピル−スルホネート、およびココアンホカルボキシ−プロピオン酸が挙げられる。アンホカルボン酸は、脂肪族イミダゾリンから生成することができ、ここで、アンホジカルボン酸のジカルボン酸官能基は、二酢酸及び／又はジプロピオン酸である。
【０１１１】
本明細書で上記のカルボキシメチル化化合物（グリシネート）は、しばしばベタインと呼ばれる。ベタインは、双性イオン界面活性剤と題した以下の節において、本明細書で以下に説明される特別なクラスの両性化合物である。
【０１１２】
長鎖Ｎ−アルキルアミノ酸は、反応ＲＮＨ２によって容易に調製され、式中、Ｒ＝Ｃ８−Ｃ１８直鎖または分岐鎖アルキル、ハロゲン化カルボン酸を有する脂肪族アミンである。アミノ酸の第一級アミノ基のアルキル化は、第二級および第三級アミンをもたらす。アルキル置換基は、複数の反応性窒素中心を提供する追加のアミノ基を有してもよい。最も市販されているＮ−アルキルアミン酸は、β−アラニンまたはβ−Ｎ（２−カルボキシエチル）アラニンのアルキル誘導体である。本発明に適用される市販のＮ−アルキルアミノ酸両性電解質の例としては、アルキルβ−アミノジプロピオネート、ＲＮ（Ｃ２Ｈ４ＣＯＯＭ）２およびＲＮＨＣ２Ｈ４ＣＯＯＭが挙げられる。一実施形態では、Ｒは、約８〜約１８個の炭素原子を含有する非環式疎水基であり得、Ｍは、アニオンの電荷を中和するためのカチオンである。
【０１１３】
適切な両性界面活性剤は、ココナツ油またはココナツ脂肪酸などのココナツ製品から誘導されるものを含む。追加の好適なココナツ由来の界面活性剤には、これらの構造の一部として、エチレンジアミン部分、アルカノールアミド部分、アミノ酸部分、例えば、グリシン、またはそれらの組み合わせ、および約８〜１８個（例えば、１２個）の炭素原子の脂肪族置換基が含まれる。そのような界面活性剤は、アルキルアンホジカルボン酸ともみなされ得る。これらの両性界面活性剤は、Ｃ１２−アルキル−Ｃ（Ｏ）−ＮＨ−ＣＨ２−ＣＨ２−Ｎ＋（ＣＨ２−ＣＨ２−ＣＯ２Ｎａ）２−ＣＨ２−ＣＨ２−ＯＨまたはＣ１２−アルキル−Ｃ（Ｏ）−Ｎ（Ｈ）−ＣＨ２−ＣＨ２−Ｎ＋（ＣＨ２−ＣＯ２Ｎａ）２−ＣＨ２−ＣＨ２−ＯＨとして表される化学構造を含み得る。ココアンホジプロピオン酸二ナトリウムは、１つの好適な両性界面活性剤であり、Ｒｈｏｄｉａ  Ｉｎｃ．，Ｃｒａｎｂｕｒｙ，Ｎ．Ｊ．からＭｉｒａｎｏｌ（商標）ＦＢＳの商品名で市販されている。化学名ココアンホジ酢酸二ナトリウムを有する別の好適なココナツ由来の両性界面活性剤は、同じくＲｈｏｄｉａ  Ｉｎｃ．，Ｃｒａｎｂｕｒｙ，Ｎ．Ｊ．からＭｉｒａｔａｉｎｅ（商標）ＪＣＨＡの商品名で販売されている。
【０１１４】
両性クラスの典型的なリストおよびこれらの界面活性剤の種は、１９７５年１２月３０日にＬａｕｇｈｌｉｎ  ａｎｄ  Ｈｅｕｒｉｎｇに発行された米国特許第３，９２９，６７８号に記載されている。さらなる例は、“Ｓｕｒｆａｃｅ  Ａｃｔｉｖｅ  Ａｇｅｎｔｓ  ａｎｄ  Ｄｅｔｅｒｇｅｎｔｓ”（Ｖｏｌ．Ｉ  ａｎｄ  ＩＩ  ｂｙ  Ｓｃｈｗａｒｔｚ，Ｐｅｒｒｙ  ａｎｄ  Ｂｅｒｃｈ）に記載されている。これらの参考文献の各々は、本明細書に参照によりその全体が組み込まれる。
【０１１５】
双性イオン界面活性剤
双性イオン界面活性剤は、両性界面活性剤のサブセットと考えることができ、アニオン電荷を含み得る。双性イオン界面活性剤は、第二級および第三級アミンの誘導体、複素環式第二級および第三級アミンの誘導体、または第四級アンモニウム、第四級ホスホニウム、または第三級スルホニウム化合物の誘導体として広く記載することができる。典型的には、双性イオン性界面活性剤は、正荷電第四級アンモニウム、または場合によってはスルホニウムもしくはホスホニウムイオン、負荷電カルボキシル基、およびアルキル基を含む。双性イオン性化合物は、一般に、分子の等電領域においてほぼ同程度にイオン化し、正−負電荷中心間に強い「内部塩」誘引を生じ得るカチオン性基およびアニオン性基を含有する。このような双性イオン性合成界面活性剤の例としては、脂肪族基が直鎖または分岐であり得る、脂肪族第四級アンモニウム、ホスホニウム、およびスルホニウム化合物の誘導体が挙げられ、脂肪族置換基のうちの１個が、８〜１８個の炭素原子を含み、１個がアニオン性水可溶化基、例えば、カルボキシ、スルホネート、スルフェート、ホスフェート、またはホスホネートを含む。
【０１１６】
ベタインおよびスルタイン界面活性剤は、本明細書で使用するための双性イオン界面活性剤の例である。これらの化合物の一般式は、以下のとおりであり、
【化１１】
2021502433.tif 000018
式中、Ｒ１は、０〜１０個のエチレンオキシド部分および０〜１個のグリセリル部分を有する、８〜１８個の炭素原子のアルキル、アルケニル、またはヒドロキシアルキルラジカルを含み、Ｙは、窒素原子、リン原子、および硫黄原子からなる群から選択され、Ｒ２は、１〜３個の炭素原子を含むアルキル基またはモノヒドロキシアルキル基であり、Ｙが硫黄原子であるとき、ｘは１であり、Ｙが窒素原子またはリン原子であるときは２であり、Ｒ３は、１〜４個の炭素原子のアルキレンまたはヒドロキシアルキレンまたはヒドロキシアルキレンであり、Ｚは、カルボン酸基、スルホン酸基、硫酸基、ホスホン酸基、およびリン酸基からなる群から選択されたラジカルである。
【０１１７】
上記の構造を有する双性イオン界面活性剤の例としては、４−［Ｎ，Ｎ−ジ（２−ヒドロキシエチル）−Ｎ−オクタデシルアンモニオ］−ブタン−１−カルボキシレート、５−［Ｓ−３−ヒドロキシプロピル−Ｓ−ヘキサデシルスルホニオ］−３−ヒドロキシペンタン−１−サルフェート、３−［Ｐ，Ｐ−ジエチル−Ｐ−３，６，９−トリオキサテトラコサンホスホニオ］−２−ヒドロキシプロパン−１−ホスフェート、３−［Ｎ，Ｎ−ジプロピル−Ｎ−３−ドデコキシ−２−ヒドロキシプロピル−アンモニオ］−プロパン−１−ホスホネート、３−（Ｎ，Ｎ−ジメチル−Ｎ−ヘキサデシルアンモニオ）−プロパン−１−スルホネート、３−（Ｎ，Ｎ−ジメチル−Ｎ−ヘキサデシルアンモニオ）−２−ヒドロキシ−プロパン−１−スルホネート、４−［Ｎ，Ｎ−ジ（２（２−ヒドロキシエチル）−Ｎ（２−ヒドロキシドデシル）アンモニオ］−ブタン−１−カルボキシレート、３−［Ｓ−エチル−Ｓ−（３−ドデコキシ−２−ヒドロキシプロピル）スルホニオ］−プロパン−１−ホスフェート、３−［Ｐ，Ｐ−ジメチル−Ｐ−ドデシルホスホニオ］−プロパン−１−ホスホネート、およびＳ［Ｎ，Ｎ−ジ（３−ヒドロキシプロピル）−Ｎ−ヘキサデシルアンモニオ］−２−ヒドロキシ−ペンタン−１−サルフェートが挙げられる。当該洗剤界面活性剤に含有されるアルキル基は、直鎖または分岐鎖でもよく、飽和または不飽和であり得る。
【０１１８】
本組成物において使用するのに好適な双性イオン界面活性剤には、以下の一般構造のベタインが含まれる。
【化１２】
2021502433.tif 000019
これらの界面活性剤ベタインは、典型的に、極度のｐＨで強いカチオンもしくはアニオンの特徴を呈さないか、またはこれらの等電範囲で水溶性の減少を示さない。「外部」第四級アンモニウム塩とは異なり、ベタインは、アニオンと共生できる。好適なベタインの例としては、ココナツアシルアミドプロピルジメチルベタイン、ヘキサデシルジメチルベタイン、Ｃ１２−１４アシルアミドプロピルベタイン、Ｃ８−１４アシルアミドヘキシルジエチルベタイン、４−Ｃ１４−１６アシルメチルアミドジエチルアンモニオ−１−カルボキシブタン、Ｃ１６−１８アシルアミドジメチルベタイン、Ｃ１２−１６アシルアミドペンタンジエチルベタイン、およびＣ１２−１６アシルメチルアミドジメチルベタインが挙げられる。
【０１１９】
本発明において有用なスルタインは、式（Ｒ（Ｒ１）２Ｎ＋Ｒ２ＳＯ３−を有する化合物を含み、ここで、Ｒは、Ｃ６〜Ｃ１８ヒドロカルビル基であり、各Ｒ１は、典型的には独立して、Ｃ１〜Ｃ３アルキル、例えばメチルであり、Ｒ２は、Ｃ１〜Ｃ６ヒドロカルビル基、例えばＣ１〜Ｃ３アルキレンまたはヒドロキシアルキレン基である。
【０１２０】
双性イオン性クラスおよびこれらの界面活性剤の種の典型的なリストは、１９７５年１２月３０日にＬａｕｇｈｌｉｎ  ａｎｄ  Ｈｅｕｒｉｎｇに発行された米国特許第３，９２９，６７８号に記載されている。さらなる例は、“Ｓｕｒｆａｃｅ  Ａｃｔｉｖｅ  Ａｇｅｎｔｓ  ａｎｄ  Ｄｅｔｅｒｇｅｎｔｓ”（Ｖｏｌ．Ｉ  ａｎｄ  ＩＩ  ｂｙ  Ｓｃｈｗａｒｔｚ，Ｐｅｒｒｙ  ａｎｄ  Ｂｅｒｃｈ）に記載されている。これらの参照文献の各々は、本明細書にその全体が組み込まれる。
【０１２１】
消泡剤
本発明の組成物および方法は、任意に、消泡剤を含み得る。消泡剤は、アニオン性界面活性剤などの発泡界面活性剤を含む実施形態に特に好適であり得る。一般に、使用され得る消泡剤としては、シリカおよびシリコーン、脂肪酸またはエステル、アルコール、スルフェートまたはスルホネート、アミンまたはアミド、フルオロクロロ炭化水素などのハロゲン化合物、植物油、ワックス、鉱物油、ならびにそれらのスルホン化または硫酸化誘導体、アルカリ、アルカリ土類金属石鹸などの脂肪酸及び／又はそれらの石鹸、ならびにアルキルおよびアルカリジホスフェートおよび中でもトリブチルホスフェートなどのホスフェートおよびホスフェートエステル、ならびにこれらの混合物が挙げられる。
【０１２２】
いくつかの実施形態では、組成物は、本発明の方法の応用例を考慮すれば、食品グレード品質である泡止め剤または消泡剤を含み得る。この目的のために、より効果的な泡止め剤のうちの１つには、シリコーンが含まれる。ジメチルシリコーン、グリコールポリシロキサン、メチルフェノールポリシロキサン、トリアルキルまたはテトラアルキルシラン、疎水性シリカ消泡剤、およびそれらの混合物などのシリコーンは全て、消泡用途に使用することができる。一般に入手可能な市販の消泡剤としては、中でも、有機エマルション中で結合したシリコーンである、Ａｒｍｏｕｒ  Ｉｎｄｕｓｔｒｉａｌ  Ｃｈｅｍｉｃａｌ  Ｃｏｍｐａｎｙ製のＡＲＤＥＦＯＡＭ（商標）；シリコーンおよび非シリコーンタイプの消泡剤ならびにシリコーンエステルである、Ｋｒｕｓａｂｌｅ  Ｃｈｅｍｉｃａｌ  Ｃｏｍｐａｎｙから入手可能であるＦＯＡＭ  ＫＩＬＬ（商標）またはＫＲＥＳＳＥＯ（商標）；ならびに両方が食品グレードタイプのシリコーンである、Ｄｏｗ  Ｃｏｒｎｉｎｇ  Ｃｏｒｐｏｒａｔｉｏｎ製のＡＮＴＩ−ＦＯＡＭ  Ａ（商標）およびＤＣ−２００などのシリコーンが挙げられる。
【０１２３】
酵素
いくつかの実施形態では、組成物は、酵素をさらに含み得る。好ましくは、アルカリ源を含まない洗浄組成物では、酵素および水は、洗浄組成物の大部分を構成する。
【０１２４】
酵素はタンパク質であるため、組成物の他の構成要素は、酵素を変性させず、したがって、それをその意図された目的に対して無効にすることが重要である。活性酵素またはその他の方法で安定化された酵素を組み込んだ好ましい洗浄組成物について、組成物のｐＨは、重要である。すなわち、酵素を含む組成物のｐＨは、酵素構成要素が安定したままであり、変性しないようなものでなければならない。そのようなｐＨは、ほぼ中性のｐＨもしくはその近く、または約７〜８であり得る。
【０１２５】
アミラーゼは、洗浄組成物において有用な酵素の例である。使用され得るアミラーゼの例は、Ｂａｃｉｌｌｕｓ  ｌｉｃｈｅｎｉｆｏｒｍｉｓ、Ｂ．ａｍｙｌｏｌｉｑｕｉｅｆａｃｉｅｎｓ、またはＢ．ｓｔｅａｒｏｔｈｅｒｍｏｐｈｉｌｕｓ由来のアルファ−アミラーゼ、ならびに洗浄および洗浄組成物での使用のために改善されたそれらの開発品である。ＮｏｖｏｚｙｍｅｓおよびＧｅｎｅｎｃｏｒは、上記の細菌種の１種または全てに由来する市販のアルファ−アミラーゼを市販している。Ｎｏｖｏｚｙｍｅｓはさらに、Ａｓｐｅｒｇｉｌｌｕｓ  ｎｉｇｅｒおよびＡ．ｏｒｙｚａｅ由来のアルファ−アミラーゼを提供する。
【０１２６】
プロテアーゼは、洗浄組成物において有用な酵素の例である。プロテアーゼは、酵母、カビ、または細菌などの微生物に由来し得る。洗浄組成物に用いられ得るタンパク質分解酵素の例としては、Ｓａｖｉｎａｓｅが挙げられる。Ｂａｃｉｌｌｕｓ  ｌｅｎｔｕｓ、Ｂａｃｉｌｌｕｓ  ｌｉｃｈｅｎｉｆｏｒｍｉｓ、Ｂａｃｉｌｌｕｓ  ａｍｙｌｏｌｉｑｕｅｆａｃｉｅｎｓ、Ｂａｃｉｌｌｕｓ  ａｌｃａｌｏｐｈｉｌｕｓ由来のプロテアーゼは、Ｇｅｎｅｎｃｏｒ  Ｉｎｔｅｒｎａｔｉｏｎａｌ、Ｓｏｌｖａｙ  Ｅｎｚｙｍｅｓ、Ｎｏｖｏｚｙｍｅｓなどから市販されている。
【０１２７】
好ましい酵素は、良好なタンパク質除去および洗浄性能を提供し、残留物を残さず、容易に配合されかつ安定した製品を形成する。例えば、Ｎｏｖｏｚｙｍｅｓから市販されているＳａｖｉｎａｓｅは、セリンタイプのエンドプロテアーゼであり、８〜１２のｐＨ範囲および２０℃〜６０℃の温度範囲で活性を有する。さらなる例として、Ｎｏｖｏｚｙｍｅｓから市販されているＡｌｃａｌａｓｅは、Ｂａｃｉｌｌｕｓ  ｌｉｃｈｅｎｉｆｏｒｍｉｓに由来し、６．５〜８．５のｐＨ範囲および４５℃〜６５℃の温度範囲で活性を有する。Ｅｓｐｅｒａｓｅは、Ｎｏｖｏｚｙｍｅｓから市販されており、Ｂａｃｉｌｌｕｓ種に由来し、アルカリ性のｐＨ活性範囲および５０℃〜８５℃の温度範囲を有する。
【０１２８】
異なる酵素の混合物が洗浄組成物に組み込まれ得る。多様な具体的な酵素が上述されるが、所望のタンパク質分解活性を本組成物に与え得る任意のプロテアーゼが使用され得ることが理解される。本発明の組成物は、約０重量％〜約２５重量％の酵素、約０．０００５重量％〜約１５重量％の酵素、約０．００１重量％〜約１０重量％の酵素、約０．００１重量％〜約５重量％の酵素、約０．００１重量％〜約１重量％の酵素を含む。加えて、本発明に従うよう限定するものではないが、列挙される全ての範囲は、範囲を定義する数字を含み、定義された範囲内の各整数を含む。
【０１２９】
キレート剤
いくつかの実施形態では、組成物は、キレート剤をさらに含み得る。本明細書において、キレート化とは、二座または多座リガンドの結合または複合体形成を意味する。これらのリガンドは、多くの場合、有機化合物であり、キレート剤（ｃｈｅｌａｎｔ）、キレーター、キレート剤（ｃｈｅｌａｔｉｎｇ  ａｇｅｎｔ）、及び／又は金属イオン封鎖剤と呼ばれる。キレート剤は、単一の金属イオンと複数の結合を形成する。キレート剤は、特定の金属イオンと可溶性複合体分子を形成する化学物質であり、それらが他の元素またはイオンと正常に反応して沈殿物またはスケールを生成することができないように、それらのイオンを不活性化する。リガンドは、基材とキレート複合体を形成する。用語は、金属イオンがキレート剤の２つ以上の原子に結合している複合体のものである。
【０１３０】
好適なアミノカルボン酸型キレート剤は、酸、またはそのアルカリ金属塩を含む。アミノカルボン酸材料のいくつかの例としては、アミノアセテートおよびその塩が挙げられる。いくつかの例としては、以下のものが挙げられる：Ｎ−ヒドロキシエチルアミノ二酢酸、ヒドロキシエチレンジアミン四酢酸、ニトリロ三酢酸（ＮＴＡ）、エチレンジアミン四酢酸（ＥＤＴＡ）、Ｎ−ヒドロキシエチル−エチレンジアミン三酢酸（ＨＥＤＴＡ）、ジエチレントリアミン五酢酸（ＤＴＰＡ）、およびアラニン−Ｎ，Ｎ−二酢酸など、ならびにそれらの混合物。ＮＴＡをほとんどまたは全く含有せず、かつリンを含有しない特に有用なアミノカルボン酸材料としては、Ｎ−ヒドロキシエチルアミノ二酢酸、エチレンジアミン四酢酸（ＥＤＴＡ）、ヒドロキシエチレンジアミン四酢酸、ジエチレントリアミン五酢酸、Ｎ−ヒドロキシエチル−エチレンジアミン三酢酸（ＨＥＤＴＡ）、ジエチレントリアミン五酢酸（ＤＴＰＡ）、メチルグリシン二酢酸（ＭＧＤＡ）、アスパラギン酸−Ｎ，Ｎ−二酢酸（ＡＳＤＡ）、グルタミン酸−Ｎ，Ｎ−二酢酸（ＧＬＤＡ）、エチレンジアミンコハク酸（ＥＤＤＳ）、２−ヒドロキシエチルイミノ二酢酸（ＨＥＩＤＡ）、イミノジコハク酸（ＩＤＳ）、３−ヒドロキシ−２，２’−イミノジコハク酸（ＨＩＤＳ）、およびカルボン酸置換基と共にアミノ基を有する他の類似の酸が挙げられる。
【０１３１】
他のキレート剤としては、アミノカルボキシレートが挙げられ、アミノカルボキシレートとしては、エチレンジアミンテトラ−アセテート、Ｎ−ヒドロキシエチルエチレンジアミントリアセテート、ニトリロ−トリアセテート、エチレンジアミンテトラプロ−プリオネート、トリエチレンテトラアミンヘキサアセテート、ジエチレントリアミンペンタアセテート、およびエタノールジ−グリシン、アルカリ金属、アンモニウム、ならびにそれらの置換アンモニウム塩、ならびにそれらの混合物が挙げられる。好適なキレート剤としては、アミノカルボキシレート、アミノホスホネート、多官能置換芳香族キレート剤、およびこれらの混合物が挙げられる。例示的なキレート剤としては、アミノ酸系キレート剤、ならびに好ましくはクエン酸、酒石酸、およびグルタミン酸−Ｎ，Ｎ−二酢酸および誘導体、及び／又はホスホネート系キレート剤が挙げられる。
【０１３２】
他のキレート剤としては、ポリカルボン酸およびそれらの部分的または完全に中和された塩のホモポリマーおよびコポリマー、ならびにモノマーポリカルボン酸およびヒドロキシカルボン酸ならびにそれらの塩が挙げられる。上述の化合物の好ましい塩は、アンモニウム及び／又はアルカリ金属塩、すなわち、リチウム、ナトリウム、およびカリウム塩であり、特に好ましい塩は、硫酸ナトリウムなどのナトリウム塩である。
【０１３３】
他のキレート剤としては、ポリカルボン酸ポリマーが挙げられる。すすぎ組成物に好適な代表的なポリカルボン酸ポリマーとしては、中でも、アミノカルボン酸、水溶性アクリルポリマー、ポリマレイン酸ホモポリマー、マレイン酸ポリマーが挙げられて、すすぎ溶液を最終使用条件下で調整する。そのようなポリマーとしては、ポリアクリル酸、ポリメタクリル酸、アクリル酸−メタクリル酸コポリマー、加水分解ポリアクリルアミド、加水分解メタクリルアミド、加水分解アクリルアミド−メタクリルアミドコポリマー、加水分解ポリアクリロニトリル、加水分解ポリメタクリロニトリル、加水分解アクリロニトリルメタクリロニトリルコポリマー、またはこれらの混合物が挙げられる。これらのそれぞれのアルカリ金属（例えばナトリウムまたはカリウム）、またはアンモニウム塩などの、これらのポリマーの水溶性塩または部分塩も使用され得る。
【０１３４】
加えて、ホスホン酸塩またはホスホン酸金属イオン封鎖剤もまた用いられ得る。いくつかの実施形態では、ホスホン酸塩及び／又はホスホン酸金属イオン封鎖剤は、ポリカルボン酸ポリマーなしで、単独で用いられ得る。そのような有用なホスホン酸としては、モノ、ジ、トリ、およびテトラホスホン酸が挙げられ、これらはまた、カルボキシ、ヒドロキシ、チオなどのアルカリ条件下でアニオンを形成し得る基も含有し得る。
【０１３５】
水質調整ポリマー
一実施形態では、組成物は、任意に水質調整ポリマー（複数可）を含む。いくつかの態様では、水質調整ポリマーは、組成物の二次ビルダーまたはスケール抑制剤である。一実施形態によれば、水質調整ポリマーは、非リンポリマーであり得る。一態様では、水質調整ポリマーは、非イオン性界面活性剤である。一態様では、水質調整ポリマーは、ポリカルボン酸及び／又は疎水性変性ポリカルボン酸である。例示的なポリアクリル酸は、Ａｃｕｓｏｌ登録商標４４５Ｎ（Ｄｏｗ  Ｃｈｅｍｉｃａｌ）として市販されている。さらなる実施形態では、中和ポリカルボン酸ポリマーが、水質調整ポリマーとして用いられる。例示的な中和ポリカルボン酸は、Ａｃｕｍｅｒ登録商標１０００（Ｒｏｈｍ  ＆  Ｈａａｓ  Ｃｏｍｐａｎｙ）として市販されている。
【０１３６】
さらなる態様では、水質調整ポリマーは、ポリカルボキシレートまたは関連するコポリマーを含み得る。ポリカルボキシレートは、複数のカルボキシレート基を有する化合物を指す。様々なそのようなポリカルボキシレートポリマー、およびコポリマーは既知であり、特許および他の文献に記載され、市販されている。ビルダー及び／又は水質調整ポリマーとして使用され得る例示的なポリカルボキシレートとしては、アクリルホモポリマー、ポリアクリル酸、マレイン酸、マレイン酸／オレフィンコポリマー、スルホン化コポリマーまたはターポリマー、アクリル／マレイン酸コポリマー、ポリメタクリル酸、アクリル酸−メタクリル酸コポリマー、加水分解ポリアクリルアミド、加水分解ポリメタクリルアミド、加水分解ポリアミド−メタクリルアミドコポリマー、加水分解ポリアクリロニトリル、加水分解ポリメタクリロニトリル、および加水分解アクリロニトリル−メタクリロニトリルコポリマーなどの、ペンダントカルボキシレート（−ＣＯ２−）基を有するものが挙げられるが、これらに限定されない。さらなる態様では、ビルダー及び／又は水質調整ポリマーとして使用され得るポリカルボキシレートとしては、ポリアクリレートのホモポリマーおよびコポリマー、ポリアクリレート；ポリメタクリレート；オレフィン系とマレイン酸水素化物とのコポリマーなどの、ポリオレフィンとポリマレイン酸とのコポリマーなどの、非カルボキシル化材料、ならびにこれら全ての誘導体および塩が挙げられるが、これらに限定されない。例示的なポリカルボキシレートおよびポリアクリレートの追加の説明は、米国特許第７，５３７，７０５号および同第３，８８７，８０６号に提供されている。
【０１３７】
さらなる態様では、水質調整ポリマーは、ポリアクリレートまたは関連するコポリマーを含み得る。本発明による好適なポリアクリレート、ポリアクリレートのホモポリマーおよびコポリマー、ポリオレフィン系とポリマレイン酸とのシステムは、例えばポリアクリル酸化合物などのポリアニオン性組成物を含む、ポリマーおよび小分子薬剤の両方を含む有機化合物を含み得る。ポリマー薬剤は、通常、ポリアクリル酸化合物などのポリアニオン性組成物を含む。例えば、例示的な市販のアクリルタイプポリマーとしては、アクリル酸ポリマー、メタクリル酸ポリマー、アクリル酸−メタクリル酸コポリマー、および前記ポリマーの水溶性塩が挙げられる。これらとしては、ポリアクリル酸、マレイン酸／オレフィンコポリマー、アクリル／マレイン酸コポリマー、ポリメタクリル酸、アクリル酸−メタクリル酸コポリマー、加水分解ポリアクリルアミド、加水分解ポリメタクリルアミド、加水分解ポリアミド−メタクリルアミドコポリマー、加水分解ポリアクリロニトリル、加水分解ポリメタクリロニトリル、加水分解アクリロニトリル−メタクリロニトリルコポリマー、加水分解メタクリルアミド、加水分解アクリルアミド−メタクリルアミドコポリマー、およびこれらの組み合わせなどの、水溶性アクリルポリマーなどの、高分子電解質が挙げられる。そのようなポリマーまたはこれらの混合物は、使用され得るこれらのそれぞれのアルカリ金属（例えば、ナトリウムまたはカリウム）、またはアンモニウム塩などの、これらのポリマーの水溶性塩または部分塩を含む。
【０１３８】
水質調整ポリマーのさらなる考察については、その開示が参照により本明細書に組み込まれる、Ｋｉｒｋ−Ｏｔｈｍｅｒ、Ｅｎｃｙｃｌｏｐｅｄｉａ  ｏｆ  Ｃｈｅｍｉｃａｌ  Ｔｅｃｈｎｏｌｏｇｙ、第３版、第５巻、３３９〜３６６ページおよび第２３巻、３１９〜３２０ページを参照されたい。
【０１３９】
洗浄方法
洗浄方法は、口唇化粧料汚れを除去するのに特に好適である。科学的理論にとらわれることは望まないが、口唇化粧料汚れの疎水性部分は、汚れを器物から除去することを特に困難にしていると考えられる。唇用化粧品の疎水性部分は、最終製品の所望の稠性に応じて、油、粘稠な固体、またはワックスであり得る。例えば、唇の上に転がされるリップグロスは、指先を使用して塗られるリップグロスよりも稠性においてより液体になる傾向がある。当然、ロールオンリップグロスは、指先のリップグロスよりも油含有量が多く、固体やワックスの量が多いと予期される。口唇化粧料の疎水性構成要素は、天然でも合成でもよい。以下は、口唇化粧料に見られる疎水性材料の非限定的な例のリストである：リンゴ（Ｐｙｒｕｓ  Ｍａｌｕｓ）の皮のワックス、アボカド（Ｐｅｒｓｅａ  Ｇｒａｔｉｓｓｉｍａ）ワックス、ヤマモモ（Ｍｙｒｉｃａ  ｃｅｒｉｆｅｒａ）ワックス、蜜蝋、キャンデリラ（Ｅｕｐｈｏｒｂｉａ  ｃｅｒｉｆｅｒａ）ワックス、キャノーラ油、カルナウバ（Ｃｏｐｅｒｎｉｃｉａ  ｃｅｒｉｆｅｒａ）ワックス、ヒマシ油、セレシン、セチルアルコール、セチルエステル、ココア（Ｔｈｅｏｂｒｏｍａ  ｃａｃａｏ）バター、ココナツ（Ｃｏｃｏｓ  ｎｕｃｉｆｅｒａ）油、水素化ホホバ油、水素化ホホバワックス、水素化マイクロクリスタリンワックス、水素化米ぬかワックス、加水分解蜜蝋、イソステアリン酸、ホホババター、ホホバエステル、ホホバワックス、ラノリン油、ラノリンワックス、マイクロクリスタリンワックス、鉱油、ミンクワックス、モンタン酸ワックス、モンタンワックス、オリーブ（Ｏｌｅａ  ｅｕｒｏｐａｅａ）油、オレンジ（Ｃｉｔｒｕｓ  ａｕｒａｎｔｉｕｍ  ｄｕｌｃｉｓ）ピールワックス、オウリキュリーワックス、酸化蜜蝋、酸化マイクロクリスタリンワックス、オゾケライト、パームカーネルワックス、パラフィン、ＰＥＧ−６蜜蝋、ＰＥＧ−８蜜蝋、ＰＥＧ−１２蜜蝋、ＰＥＧ−２０蜜蝋、ＰＥＧ−１２カルナウバ、ワセリン（ｐｅｔｒｏｌａｔｕｍ）、ワセリン（ｐｅｔｒｏｌｅｕｍ  ｊｅｌｌｙ）、カリウム酸化マイクロクリスタリンワックス、米（Ｏｒｙｚａ  ｓａｔｉｖａ）ワックス、ゴマ（Ｓｅｓａｍｕｍ  ｉｎｄｉｃｕｍ）油、シアバター（Ｂｕｔｙｒｏｓｐｅｒｍｕｍ  ｐａｒｋｉｉ）、シェラックワックス、使用済み穀物ワックス、ステアリン酸、硫化ホホバ油、合成蜜蝋、合成キャンデリラワックス、合成カルナウバ、合成日本ワックス、合成ホホバ油、合成ワックス、および植物油。口唇化粧料に見られる追加の材料は、他の顔料、染料、着色剤、および香料と共に、例えば、ジメチコンなどのシリコーンを含む。
【０１４０】
本明細書に開示される組成物は、上記の疎水性および他の材料ならびに上記のリストに含まれていないものを有する口唇化粧料汚れを除去し得ると考えられる。
【０１４１】
本方法は、レストラン、バー、病院、老人ホーム、家庭用（消費者用）住宅、航空施設、学校および企業のカフェテリアなどを含む、任意の商業、組織、または消費者の場所で典型的に見られる、任意のタイプの器物、すなわち、飲用器物表面上に蓄積する口唇化粧料汚れを除去するのに特に好適である。
【０１４２】
洗浄方法は、例えば、口紅、リップステイン、リップグロス、リップバーム、及び／又はリップクリームを含む、口唇化粧料汚れを除去する必要のある器物または他の硬質表面を接触させることを含む。一態様では、器物または硬質表面は、ワックス状、油性、及び／又は脂肪性汚れで汚れている。例えば、浸漬、噴霧、滴下、拭き取りなどを含む、任意の接触手段を使用して、器物または硬質表面をアルカリ性洗浄組成物と接触させ得る。本明細書に記載される接触の範囲内に含まれ、器物及び／又は硬質表面はまた、前処理を含み、アルカリ性組成物で浸漬され得る。接触工程の結果として、表面は洗浄され、汚れは除去される。
【０１４３】
特定の実施形態では、硬質表面処理のために濃縮物が表面上に噴霧され得る。接触時間は、数秒〜数分まで変化し得る。他の実施形態では、器物または銀器物が器物洗浄機に配置される前に浸漬される場合などの、予備浸漬のために、より低い濃度の洗浄組成物が、用いられ得る。そのような実施形態では、接触時間は、数分から数時間（例えば、一晩浸漬）まで変化し得る。
【０１４４】
一態様では、表面は器物である。例示的な器物としては、例えば、ガラス、セラミックス、メラミン、及び／又はプラスチックが挙げられる。本明細書で記載される器物洗浄は、手動で洗浄され得る。別の態様では、器物は、器物洗浄機で洗浄される。
【０１４５】
器物洗浄用途、浸漬（または前処理）用途及び／又は他の硬質表面処理用途の両方で、長鎖ポリアミンが、使用溶液中のアルカリ性組成物に添加され得る。あるいは、完全に配合されたアルカリ性洗浄組成物が提供され得る。（固体からなどの）水性使用溶液を希釈及び／又は作成する第１の工程もまた、本方法に含まれ得る。例示的な希釈工程は、液体及び／又は固体組成物を水と接触させることを含む。
【０１４６】
アルカリ性洗浄組成物は、組成物の構成要素の活性剤の所望の量を提供する、すぐに使用できる及び／又は濃縮組成物における活性剤レベルで提供され得る。一態様では、長鎖ポリアミンは、使用溶液中に約１０ｐｐｍ〜約２００ｐｐｍ、または使用溶液中に約１００ｐｐｍ〜約２００ｐｐｍの濃度で提供される。
【０１４７】
一態様では、アルカリ性洗浄組成物は、使用溶液での洗浄を必要とする器物及び／又は他の硬質表面と接触し、約７．５〜約１３．５のｐＨを有する。
【０１４８】
一態様では、アルカリ性洗浄組成物は、汚れを除去するのに、数秒から数時間を含み、その間の全ての範囲を含む、十分な時間、器物及び／又は他の硬質表面と接触する。一実施形態では、組成物は、少なくとも約１５秒間、少なくとも約３０秒間、少なくとも約４５秒間、または少なくとも約６０秒間、器物及び／又は他の硬質表面と接触する。一実施形態では、組成物は、少なくとも約１分間、少なくとも約２分間、少なくとも約３分間、少なくとも約４分間、または少なくとも約５分間、器物及び／又は他の硬質表面と接触する。
【０１４９】
本明細書における全ての刊行物および特許出願は、本発明が属する分野の当業者の水準を示している。全ての刊行物および特許出願は、あたかも各個々の刊行物または特許出願が具体的かつ個々に参照により組み込まれるのと同程度に、参照により本明細書に組み込まれる。
【実施例】
【０１５０】
本発明の実施形態は、以下の非限定的な実施例においてさらに定義される。これらの実施例は、本発明の特定の実施形態を示しているが、例示のみのために与えられていることを理解されたい。上記の考察およびこれらの実施例から、当業者は、本発明の本質的な特徴を確認することができ、本発明の趣旨および範囲から逸脱することなく、本発明の実施形態の種々の変更および修正を行い、これを種々の用途および条件に適合させることができる。したがって、当業者には、本発明の実施形態の種々の修正は、本明細書に示され記載されたものに加えて、前述の説明から明らかであろう。そのような修正もまた、添付の特許請求の範囲内に含まれることが意図されている。
【０１５１】
以下の実施例で使用される材料が、本明細書で提供される。
−Ｃｏｖｅｒｇｉｒｌ４３５：Ｃｏｖｅｒ  Ｇｉｒｌ  Ｃｏｓｍｅｔｉｃｓ製の市販の口紅。
−Ｃｏｖｅｒｇｉｒｌ３０５：Ｃｏｖｅｒ  Ｇｉｒｌ  Ｃｏｓｍｅｔｉｃｓ製の市販の口紅。
−ＭＡＣ  Ｃ４６：ＭＡＣ  Ｃｏｓｍｅｔｉｃ製の口紅。
−Ｌｉｐｓｔｉｃｋ  Ｔｉｌｅｓ：Ｃｅｎｔｅｒ  ｆｏｒ  Ｔｅｓｔ  ｍａｔｅｒｉａｌｓ製のピンクの口紅で事前に汚された製造されたガラスタイル。
−ステンレス鋼試片：口紅の塗布に使用される市販品。
−Ｕｌｔｒａ  Ｋｌｅｎｅ：苛性アルカリを含有する、アルカリ性の工業用および業務用機械式器物洗浄洗剤。
−アミン７３６：式Ｉに示されるような、長鎖トリアミン、Ｎ１−（３−アミノプロピル）−Ｎ３−ドデシルプロパン−１，３，ジアミン。
−アミン７３９：式ＩＩに示されるような、長鎖ペンタミン、Ｎ１，Ｎ１，Ｎ３−トリス（３−アミノプロピル）−Ｎ３−ドデシルプロパン−１，３ジアミン。
−アミン７５４：式ＩＩＩに示されるような、長鎖環状トリアミン、Ｎ１−（３−アミノプロピル）−Ｎ１−フェネチルプロパン−１，３−ジアミン。
【化１３】
2021502433.tif 000020
−アミン７５７：式ＩＶに示されるような、長鎖トリアミン、Ｎ１−（３−アミノプロピル）−Ｎ１−ベンジルプロパン−１，３−ジアミン。
【化１４】
2021502433.tif 000021
【０１５２】
実施例１
１０００ｍＬビーカーに６００ｇの冷水道水５ｇｐｇを充填した。１０００ｐｐｍの式Ａおよび１００ｐｐｍの長鎖ポリアミンを添加し、２００ＲＰＭで少なくとも５分間磁気攪拌して平衡化した。表１および２は、各配合の組成を詳述する。実験を周囲条件下で行った。
【表６】
2021502433.tif 000022
【表７】
2021502433.tif 000023
【０１５３】
２枚の新しいスライドガラス上に、口紅の線をスライドの長さで引いた。バインダークリップを使用して、２枚のスライドを互いに対向するステンレス鋼のフックから吊り下げた。溶液を２００ＲＰＭで撹拌しながら、スライドを溶液に浸し、スライドをできるだけ垂直に保ち、ビーカーの中心の渦の中に置かないようにした。
【０１５４】
スライドを取り出し、周囲温度で溶液中に１６時間置いた後、空気乾燥させた。次いで、口紅の顔料およびワックスの除去に関する各配合の性能を視覚的に評価した。
【０１５５】
図１Ａ〜図１Ｃ、図２Ａ〜図２Ｃ、および図３Ａ〜図３Ｃにそれぞれ示されるように、配合Ａ、Ｄ、およびＥの口紅ブランド全体で、顔料またはワックスの除去は観察されなかった。各図は、配合で処理した後のスライドガラスの画像を示す。
【０１５６】
配合Ｂは、Ｃｏｖｅｒｇｉｒｌ４３５およびＣｏｖｅｒｇｉｒｌ３０５の完全な顔料除去および部分的なワックス除去を実証した。ＭＡＣ  Ｃ４６試料には、部分的な顔料およびワックス除去があった。配合Ｂの結果を、図４Ａ〜図４Ｃに示す。
【０１５７】
配合Ｃは、Ｃｏｖｅｒｇｉｒｌ４３５およびＣｏｖｅｒｇｉｒｌ３０５試料の完全な顔料除去および部分的なワックス除去を示した。ＭＡＣ  Ｃ４６試料には、いくらかの顔料除去および最小限のワックス除去があった。配合Ｃの結果を、図５Ａ〜図５Ｃに示す。
【０１５８】
実施例２
食器かご付きのＥｃｏｌａｂ製の低温器物洗浄機を、
１．５ガロンの５ｇｐｇ水で１２０°Ｆで充填した。事前に汚された口紅タイルを、バインダークリップで取り付けられた、ラックの中央と後方左隅の中間に固定されたステンレス鋼タイルホルダー上に配置した。次いで、かごを器物洗浄機に配置し、表３に従って適切な配合を追加して、サイクルを実行した。サイクルを合計５０または５サイクル繰り返し、濃度を一定に保つために各サイクルで新しい化学物質を投与した。器物洗浄機は、洗浄およびすすぎのために１２０°Ｆの水温を維持する。各テストを２、３回繰り返した。
【表８】
2021502433.tif 000024
【０１５９】
試験後、白い背景を使用して、タイルのデジタル画像を撮影した。Ｆｉｊｉ  ＩｍａｇｅＪソフトウェア（オープンソースの画像処理パッケージ）を使用して、画像を１６ビットの白黒画像に変更し、閾値を２１５に設定した。ＩｍａｇｅＪを使用して測定を行い、タイル上の所定の面積上の被覆パーセントを決定した。
【０１６０】
試験後に残存した口紅のパーセントを図６に示す。これは、評価された配合で残存した口紅のパーセントのグラフ表示である。値が小さいほど、口紅がより除去されたことを示す。有益なことに、アルカリ性洗剤組成物中に長鎖ポリアミンを含有する評価された配合は、器物からの口唇染みの効果的な除去を提供する。
【０１６１】
実施例３
通常の飲用ガラス器物を、使用前に傷または残存汚れについて目視検査した。試験用に選択されたこれらのグラスを、口紅が清浄なステンレス鋼の試片で付与された口紅スタンプを使用して、Ｃｏｖｅｒｇｉｒｌ４３５でスタンプした。試片または他の清浄な端を、隆起が見える状態で完全にコーティングされるまで、スタンプの隆起の方向にスタンプを横切って引きずった。次いで、スタンプを基部と縁との中間のガラスの側面に押し付けた。均一な圧力を加えながら、グラス表面からスタンプを取り除く前に、穏やかで左右に揺れる動きを使用して、口紅の被覆の均一性を確保した。口紅スタンプの手順を使用することによって、工業用器物洗浄機で、繰り返し可能で一貫した口紅除去性能評価方法が提供される。
【０１６２】
白い背景のライトボックス内の各グラスの画像を撮影した。Ｃａｍｅｒａ  Ｃｏｎｔｒｏｌ  Ｐｒｏ２ソフトウェアを搭載したＮｉｋｏｎ  Ｄ５３００  ＤＳＬＲを、１／８０秒のシャッター速度およびｆ／２．８の絞りで使用した。次いで、グラスを器物洗浄かごの前方中心、中央前方、中央、中央後方、及び／又は後方隅に、口紅を前に向けて配置した。次いで、かごを、１．５ガロンの１７ｇｐｇ水で１２０°Ｆで充填された器物洗浄食器機械に配置した。表４に従って適切な配合を追加し、サイクルを実行した。サイクルを合計２５サイクル繰り返し、濃度を一定に保つために必要に応じて新しい化学物質を投与した。器物洗浄食器機械は、洗浄およびすすぎのために１２０°Ｆの水温を維持する。
【表９】
2021502433.tif 000025
【０１６３】
試験が完了した後、グラスをかごから取り外し、風乾し、試験前と同じ手順を使用してライトボックス内で画像を再撮影した。ＦｉｊｉのＩｍａｇｅＪソフトウェアを使用して、除去された顔料／口紅の量を測定した。各画像をＩｍａｇｅＪで開き、画像タブの下で画像タイプを白黒に変更し、閾値値を１５２に調整した。マクロを使用して、試験の前後で、各試料で正確に５５３１５２平方ピクセルの同じ面積が測定されたことを確実にした。
【０１６４】
長方形をスタンプされた口紅を含有するように調整し、面積パーセント測定値を記録した。処理前後の面積パーセント測定値を使用して、除去された顔料の量を計算した。各かごの位置で取り除かれた口紅のパーセントを図７〜１１に示す。
【０１６５】
実施例４
ガラスタイルからの口紅染み除去の追加試験を実行した。ガラスタイル上の事前に汚されたピンクの口紅を、オランダのＣｅｎｔｅｒ  ｆｏｒ  Ｔｅｓｔ  ｍａｔｅｒｉａｌｓ  ＢＶから入手した。試験を５ｇｐｇ水を用いたＥＳ２０００低温機で完了した。充填量は１．５ガロンで、流入水温度は１２０°Ｆであった。汚されたタイルを、バインダークリップで取り付けられた、ラックの中央と機械の後方左隅の中間に固定されたステンレス鋼タイルホルダー上に配置した。表５に従って適切な配合を追加し、完全な洗浄およびすすぎサイクルを実行した。サイクルを合計５０サイクル繰り返し、濃度を一定に保つために必要に応じて新しい化学物質を投与した。
【表１０】
2021502433.tif 000026
【０１６６】
試験が完了した後、ガラスタイルをかごから取り外し、風乾し、白い背景でカラースキャナーを使用して画像を収集した。ＦｉｊｉのＩｍａｇｅＪソフトウェアを使用して、除去された顔料／口紅の量を測定した。各画像をＩｍａｇｅＪで開き、画像タブの下で画像タイプを白黒に変更し、閾値値を２１５に調整した。マクロを使用して、各試料で同じ面積が分析および測定されたことを確実にした。図１２は、長鎖ポリアミン、すなわち、アルカリ源の有無にかかわらずＣ６〜Ｃ２０ポリアミンを含む組成物が、口紅染みを除去するために同等に良好に機能した結果を示す。
【０１６７】
本発明がこのように記載されていることから、本発明が多くの方法で変更され得ることは明らかであろう。このような変更は、本発明の趣旨および範囲からの逸脱とみなされるべきではなく、全てのこのような修正は、以下の特許請求の範囲内に含まれることが意図される。上記明細書は、開示された組成物および方法の製造および使用の説明を提供する。本発明の趣旨および範囲から逸脱することなく多くの実施形態を行うことができるため、本発明は特許請求の範囲に属する。
【図１Ａ】
2021502433.tif 000027
【図１Ｂ】
2021502433.tif 000028
【図１Ｃ】
2021502433.tif 000029
【図２Ａ】
2021502433.tif 000030
【図２Ｂ】
2021502433.tif 000031
【図２Ｃ】
2021502433.tif 000032
【図３Ａ】
2021502433.tif 000033
【図３Ｂ】
2021502433.tif 000034
【図３Ｃ】
2021502433.tif 000035
【図４Ａ】
2021502433.tif 000036
【図４Ｂ】
2021502433.tif 000037
【図４Ｃ】
2021502433.tif 000038
【図５Ａ】
2021502433.tif 000039
【図５Ｂ】
2021502433.tif 000040
【図５Ｃ】
2021502433.tif 000041
【図６】
2021502433.tif 000042
【図７】
2021502433.tif 000043
【図８】
2021502433.tif 000044
【図９】
2021502433.tif 000045
【図１０】
2021502433.tif 000046
【図１１】
2021502433.tif 000047
【図１２】
2021502433.tif 000048
【国際調査報告】
2021502433.tif 000049
2021502433.tif 000050